(57)【要約】【課題】画像形成から糊付け製本までをインラインで処理することができる製本システムを提供する。【解決手段】書籍の内容に関する書籍内容データが入力される書籍内容データ入力部１０１と、表紙表示に関する表紙データが入力される表紙データ入力部と１０１、書籍内容データ入力部から入力された書籍内容データに基づいて記録用紙に画像形成を行う書籍内容画像形成部１０５と、前記表紙データ入力部から入力された表紙データに基づいてくるみカバーに画像形成を行う表紙表示画像形成部１０５と、上記画像形成が行われた記録用紙に背糊付けをする背糊付け手段２０３と、前記背糊付け手段で背糊付けされた記録用紙にくるみカバーをくるんで接着するくるみ手段２０４とを備える。【選択図】        図５
2004155152.tif 000002
【特許請求の範囲】
【請求項１】
書籍の内容に関する書籍内容データが入力される書籍内容データ入力部と、
表紙表示に関する表紙データが入力される表紙データ入力部と、
前記書籍内容データ入力部から入力された書籍内容データに基づいて記録用紙に画像形成を行う書籍内容画像形成部と、
前記表紙データ入力部から入力された表紙データに基づいてくるみカバーに画像形成を行う表紙表示画像形成部と、
上記画像形成が行われた記録用紙に背糊付けをする背糊付け手段と、
前記背糊付け手段で背糊付けされた記録用紙にくるみカバーをくるんで接着するくるみ手段と、
を備えることを特徴とする製本システム。
【請求項２】
記録用紙を収納する記録用紙収納手段と、
前記記録用紙を書籍内容画像形成部に給紙する記録用紙給紙手段と、
くるみカバーを収納するくるみカバー収納手段と、
前記くるみカバーを表紙表示画像形成部に給紙するくるみカバー給紙手段と、
画像形成された前記記録用紙を搬送する記録用紙搬送手段と、
画像形成されて記録用紙搬送手段により搬送された記録用紙を集積する集積手段と、
集積手段で集積された記録用紙を背糊付けに先立って整合する整合手段と、
画像形成された前記くるみカバーをくるみ手段へ搬送するくるみカバー搬送手段と、
を備えることを特徴とする請求項１記載の製本システム。
【請求項３】
前記書籍内容入力部と表紙表示入力部とは、ネットワーク通信手段を備えており、前記書籍内容データと表紙データの一部または全部は、ネットワークに接続されたサーバに蓄積され前記ネットワークを介して前記書籍内容入力部および表紙表示入力部に送信されるものであることを特徴とする請求項１または２に記載の製本システム。
【請求項４】
前記書籍内容画像形成部と、表紙表示画像形成部とは、共通する画像形成部からなることを特徴とする請求項１〜３のいずれかに記載の製本システム。
【請求項５】
前記書籍内容画像形成部と、表紙表示画像形成部とは、一方がカラープリンタからなり、他方がモノクロプリンタからなることを特徴とする請求項１〜３のいずれかに記載の製本システム。
【請求項６】
前記くるみカバーは、くるみみカバー収納部に収納される以前に表紙表示の一部としての印刷または画像形成が行われており、前記表紙表示画像形成部では該くるみカバーに重ね合わせて他の表紙表示の画像形成を行うものであることを特徴とする請求項１〜５のいずれかに記載の製本システム。
【請求項７】
前記くるみカバーへの事前の表紙表示は、カラー印刷またはカラープリントからなり、前記重ね合わせ画像形成がモノクロプリントであることを特徴とする請求項６記載の製本システム。
【請求項８】
前記表紙表示は、書籍名、著者名、発行所、価格、書店名、バーコード情報の、少なくとも１つを含むことを特徴とする請求項１〜７のいずれかに記載の製本システム。
【請求項９】
前記表紙表示は、書籍購入者の固有情報を含むことを特徴とする請求項１〜８のいずれかに記載の製本システム。
【請求項１０】
前記固有情報が、書籍購入者の住所、氏名、購入者によるメッセージ、購入日付の内の、少なくとも１つであること特徴とする請求項９記載の製本システム。
【請求項１１】
前記くるみカバーは、表表紙エリア、背表紙エリア、裏表紙エリアの３つの領域からなり、該くるみカバーへの画像形成に際しては、センター基準または片側突き当て基準において、背表紙エリアの厚さを考慮して各エリアに形成する画像の位置決めを行う表紙画像形成位置決め手段を備えることを特徴とする請求項１〜１０のいずれかに記載の製本システム。
【請求項１２】
記録用紙の１枚当たりの厚みを紙種毎に登録する記録用紙厚み登録手段と、画像形成されて製本される記録用紙の枚数をカウントするカウント手段とを設け、前記登録手段に登録した厚みデータと、前記カウント手段でカウントされた枚数データとから、前記背表紙エリアとして必要な厚さを計算する背表紙エリア厚さ算出手段を備えることを特徴とする請求項１１記載の製本システム。
【請求項１３】
書籍の内容に関する書籍内容データが入力される書籍内容入力部と、
前記書籍内容入力部から入力された書籍内容データに基づいて記録用紙に画像形成を行う書籍内容画像形成部と、
表紙表示としての印刷または画像形成がなされたくるみカバーを収納するくるみカバー収納手段と、
上記画像形成が行われた記録用紙に背糊付けをする背糊付け手段と、
前記背糊付け手段で背糊付けされた記録用紙に、前記くるみカバーをくるんで接着するくるみ手段と、
を備えることを特徴とする製本システム。
【請求項１４】
記録用紙を収納する記録用紙収納手段と、
前記記録用紙を書籍内容画像形成部に給紙する記録用紙給紙手段と、
画像形成された記録用紙を搬送する記録用紙搬送手段と、
画像形成されて記録用紙搬送手段により搬送された記録用紙を集積する集積手段と、
集積手段で集積された記録用紙を整合する整合手段と、
前記くるみカバー収納手段に収納された前記くるみカバーをくるみ手段に給紙、搬送するくるみカバー給紙搬送手段と、
を備えることを特徴とする請求項１３記載の製本システム。
【請求項１５】
前記くるみカバー収納手段に、くるみカバー有無検知手段が設けられていることを特徴とする請求項１〜１４のいずれかに記載の製本システム。
【請求項１６】
前記くるみカバー収納手段に、くるみカバーサイズ検知手段が設けられていることを特徴とする請求項１〜１５のいずれかに記載の製本システム。
【請求項１７】
前記くるみカバー有無検知手段による有無検知結果に拘わらず、前記書籍内容データの画像形成開始を許可することを特徴とする請求項１５記載の製本システム。
【請求項１８】
前記くるみカバーサイズ検知手段によるサイズ検知結果に拘わらず、前記書籍内容データの画像形成開始を許可することを特徴とする請求項１６記載の製本システム。
【請求項１９】
くるみカバー無し検知またはくるみカバー所定外サイズ検知がなされた場合、くるみカバー収納手段からのくるみカバーの給紙を停止することを特徴とする請求項１５〜１８のいずれかに記載の製本システム。
【請求項２０】
くるみカバー無し検知の状態で前記書籍内容データに基づく画像形成開始後に、前記くるみカバー有無検知手段がくるみカバー有りを検知した場合に、くるみカバー無し検知による前記給紙停止を解除することを特徴とする請求項１９に記載の製本システム。
【請求項２１】
くるみカバー所定外サイズ検知の状態で前記書籍内容データに基づく画像形成開始後に、前記くるみカバーサイズ検知手段が所定サイズのくるみカバーを検知した場合、くるみカバー所定外サイズ検知による給紙停止を解除することを特徴とする請求項１９に記載の製本システム。
【請求項２２】
画像成形が行われた記録用紙への背糊付け動作開始前に、前記くるみカバー有無検知手段がくるみカバー無しを検知した場合、または、前記くるみカバーサイズ検知手段がくるみカバーの所定外サイズを検知した場合、前記背糊付け動作を停止することを特徴とする請求項１５〜２１のいずれかに記載の製本システム。
【請求項２３】
くるみカバー無し検知による前記背糊付け動作の停止後、前記くるみカバー有無検知手段がくるみカバー有りを検知した場合、くるみカバー無し検知による前記背糊付け動作の停止を解除することを特徴とする請求項２２記載の製本システム。
【請求項２４】
くるみカバーの所定外サイズ検知による前記背糊付け動作の停止後、前記くるみカバーサイズ検知手段がくるみカバー収納手段に収納されたくるみカバーが所定サイズであることを検知した場合、くるみカバーの所定外サイズ検知による前記背糊付け動作の停止を解除することを特徴とする請求項２２記載の製本システム。
【請求項２５】
前記背糊付け動作完了後、くるみ手段によるくるみ動作前に、前記くるみカバー有無検知手段がくるみカバー無しを検知した場合、または、前記くるみカバーサイズ検知手段がくるみカバー収納手段に収納されたくるみカバーを所定外サイズであることを検知した場合、前記くるみ動作を停止することを特徴とする請求項１５〜２４項のいずれかに記載の製本システム。
【請求項２６】
くるみカバー無し検知による前記くるみ動作の停止後、前記くるみカバー有無検知手段がくるみカバー有りを検知した場合、くるみカバー無し検知によるくるみ動作の停止を解除することを特徴とする請求項２５記載の製本システム。
【請求項２７】
くるみカバー所定外サイズ検知によるくるみ動作の停止後、前記くるみカバーサイズ検知手段がくるみカバー収納手段に収納されたくるみカバーが所定サイズであることを検知した場合、くるみカバー所定外サイズ検知によるくるみ動作の停止を解除することを特徴とする請求項２５記載の製本システム。
【請求項２８】
前記くるみ動作の停止解除時に、背糊付けされた糊を加熱して溶かし、その後、くるみ動作を開始することを特徴とする請求項２６または２７に記載の製本システム。
【請求項２９】
前記くるみカバーの給紙、背糊付けまたはくるみ動作を停止した場合、該停止状態を通知する手段を備えることを特徴とする請求項２５〜２８のいずれかに記載の製本システム。
【請求項３０】
前記くるみカバー収納手段は、くるみカバーを順次上積み可能であり、くるみカバー給紙手段またはくるみカバー給紙搬送手段は、上積みされた前記くるみカバーを順次底から送り出し可能とされていることを特徴とする請求項１〜２９のいずれかに記載の製本システム。
【請求項３１】
前記書籍内容データが保持する内容識別情報と対応して前記くるみカバーにカバー識別情報を付与しておくとともに、くるみカバー収納手段に収納されたくるみカバーの識別情報を読み取る識別情報読み取り手段を設け、前記カバー識別情報を前記識別情報読み取り手段で読み取り、前記内容識別情報と比較し、比較結果に応じ両者が対応すると判定される場合に前記くるみカバーを給紙可能とすることを特徴とする請求項１〜３０のいずれかに記載の製本システム。
【請求項３２】
前記くるみカバーは、予め印刷または画像形成によりカバー識別情報が付与されていることを特徴とする請求項３１記載の製本システム。
【請求項３３】
前記比較の結果、前記カバー識別情報と前記内容識別情報とが対応しない場合、くるみカバーの給紙を停止することを特徴とする請求項３１または３２に記載の製本システム。
【請求項３４】
前記比較の結果、前記カバー識別情報と前記内容識別情報とが対応しない場合、該状態を告知するための通知手段が設けられていることを特徴とする請求項３１〜３３のいずれかに記載の製本システム。
【請求項３５】
複数のくるみカバー収容手段を備えるとともに、該収容手段に順位付けをしておき、
（１）上記順位に従ってくるみカバー収容手段に収容されたくるみカバーの識別情報を読み取り、
（２）該カバー識別情報と前記内容識別情報とを比較し、
（３）両者が対応すると判定された場合に該くるみカバーに収容されたくるみカバーを給紙対象とし、対応しないと判定された場合に、次順位に移行して、
上記（１）〜（３）の処理を繰り返すくるみカバー選択手段を備えることを特徴とする請求項３１〜３４のいずれかに記載の製本システム。
【請求項３６】
複数の内容識別情報と対応可能な汎用カバー識別情報を設け、該汎用カバー識別情報をくるみカバーに付与しておき、前記くるみカバー選択手段は、前記書籍内容識別情報と一対一に対応するカバー識別情報を有するくるみカバーが存在しない場合、前記汎用カバー識別情報を有するくるみカバーを給紙の対象とすることを特徴とする請求項３５記載の製本システム。
【請求項３７】
前記くるみカバーは、短辺がくるみ対象となる記録用紙の用紙サイズの一辺と同じ長さで、長辺が該記録用紙の用紙サイズの他の一辺の２倍と背表紙の厚さを加えた長さであることを特徴とする請求項１〜３６のいずれかに記載の製本システム。
【請求項３８】
前記くるみカバーが、短辺がくるみ対象となる記録用紙の用紙サイズの一辺と同じ長さで、長辺が該記録用紙サイズの他の一辺の２倍と背表紙の厚さを加えた長さより長いサイズからなる場合、くるみによって該用紙サイズよりはみ出た部分を内側へ折り返す折り返し手段を有することを特徴とする請求項１〜３６のいずれかに記載の製本システム。
【請求項３９】
前記くるみカバーが、短辺がくるみ対象となる記録用紙の用紙サイズの一辺と同じ長さで、長辺が該用紙サイズの他の一辺の２倍と背表紙の厚みを加えた長さより長いサイズからなる場合、くるみによって該用紙サイズよりはみ出た部分を、該用紙サイズの所定量内側において小口断裁する小口断裁手段を有することを特徴とする請求項１〜３６のいずれかに記載の製本システム。
【請求項４０】
前記くるみカバーは、短辺がくるみ対象となる記録用紙の用紙サイズの一辺より長く、長辺が該用紙サイズの他の一辺の２倍と背表紙の厚さを加えた長さより長いサイズからなる場合、くるみによって該用紙サイズよりはみ出た部分を、該用紙サイズの所定量内側で三方断裁する三方断裁手段を有することを特徴とする請求項１〜３６のいずれかに記載の製本システム。
【請求項４１】
書籍内容データに基づいて記録用紙に画像形成する際に、一枚の記録用紙に対し、片面に２頁ずつ、両面に４頁の本文が表示されるとともに、前記記録用紙を中折りした状態で、外面側に４Ｎ＋１頁目と４Ｎ＋４頁目が位置し、内面側に４Ｎ＋２頁目と４Ｎ＋３頁目（Ｎは０を含む整数）が位置するように４面付けをして、前記書籍内容画像形成手段に画像配置を指示する面付け手段と、前記４面付け画像形成された記録用紙を中折りする中折り手段とを備えることを特徴とする請求項１〜４０のいずれかに記載の製本システム。
【請求項４２】
記録用紙は、中折りされた状態で集積、整合、背糊付けされることを特徴とする請求項４１記載の製本システム。
【発明の詳細な説明】
【０００１】
【発明の属する技術分野】
本発明は、書籍内容データと表紙データとを用いて製本を行う製本システムに関するものである。
【０００２】
【従来の技術】
本に高級感や耐久性を持たせるため、本の内容を記した紙葉とは別種のものによって形成された表紙（くるみカバー）を本に取り付けることが行われている。この方法としては、種々のものが知られているが、例えば針金とじや無線とじ等が多用されてきた。しかしながら、針金とじ等のこれらの方法では、小さな版の本を製本する際に機械化することが難しい場合があったり、製本コストが上昇することがあった。このため、最近注目されている方法にいわゆる糊付け製本がある。これは、内容を記載した紙葉をページ順に折りたたんだものに表紙を糊付けすることによって取り付けるもので、これらはまず、本の内容部分をなす複数の紙葉をページ順になるように積層させ、これらの紙葉がばらばらにならないようにする。次いで、表紙となるものを用意し、製本されたものと表紙とを、背表紙部分において、糊付けして本が完成される。従来、上記製本に際し、書籍の内容が記録された書籍内容データや表紙に関する表紙データを用いて、所定の用紙に画像形成を行い、内容が印刷された用紙と表紙とを上記糊付けにより製本する装置や方法が提案されている。
【０００３】
例えば、特許文献１〜３では、複写装置などの画像形成装置により画像形成された転写紙の束に、表紙を装丁し、製本する装置が提案されている。特許文献４では、上記装置に関し、糊付け部分に余白を設けて画像形成する装置が提案されている。特許文献５では、さらに糊付け部分に余白を設けて記録しに画像形成する記録手段とともに、該記録紙を製本する製本機構を備える装置が提案されている。
特許文献６には、糊付け製本に際し、被製本物をガイドするガイド板の誤動作による製本ミスを回避するための製本装置が提案されている。
特許文献７では、印字も可能としたバインドテープを用いて製本を行う製本装置が提案されている。
特許文献８では、画像形成が行われた製本物の厚さに応じて印刷する背表紙表示を処理してくるみ製本する印刷装置が提案されている。
特許文献９では、折丁と表紙とを貼り付けて二つ折りする糊付けくるみ製本の装置および方法が提案されている。
特許文献１０では、最終的に出来上がる本のサイズより大きいくるみ製本を作成し、三方を断裁して仕上げる方法が提案されている。背表紙に柔軟材を用いている。
特許文献１１では、画像形成を行う記録媒体の厚みを検知し、該厚みに応じて背表紙厚さを積算して計算する装置が提案されている。
【０００４】
【特許文献１】
特許２７５２７３８号公報（第１頁）
【特許文献２】
特許２７５２７３９号公報（第１頁）
【特許文献３】
特許２７５２７４０号公報（第１頁）
【特許文献４】
特許２８４５９９９号公報（第１頁）
【特許文献５】
特許２９４４６８８号公報（第１頁）
【特許文献６】
特許３１３３７４７号公報（第１頁）
【特許文献７】
特許３１４６３３５号公報（第１頁）
【特許文献８】
特開平１０−１５１７３４号公報（第２頁）
【特許文献９】
特開平１１−１３９０３７号公報（第２頁）
【特許文献１０】
特開平１１−１８００６８号公報（第２頁）
【特許文献１１】
特開２０００−１８４１５４号公報（第２頁）
【０００５】
【発明が解決しようとする課題】
しかし、従来からの製本システムは、本文の画像形成、表紙の印刷、くるみ製本といった一つ一つの工程が、オフラインのシステムである。例えば、表紙をオフセット印刷で準備しておき、本文をモノクロプリンタで画像形成し、オフラインでくるみ製本まで仕上げるシステムである。これは１日、２日単位でのオンデマンドであり、１分２分単位でのオンデマンドではない。そのため従来の製本装置では、店頭に設置して、その場で書籍を作成することは困難であるという大きな課題がある。
【０００６】
本発明は、上記事情を背景としてなされたものであり、画像形成から糊付けくるみ製本までをインラインで処理することを可能とし、ブックオンデマンドとして好適な製本システム装置を提案する。
【０００７】
【課題を解決するための手段】
上記課題を解決するため本発明の製本システムのうち請求項１記載の発明は、書籍の内容に関する書籍内容データが入力される書籍内容データ入力部と、
表紙表示に関する表紙データが入力される表紙データ入力部と、
前記書籍内容データ入力部から入力された書籍内容データに基づいて記録用紙に画像形成を行う書籍内容画像形成部と、
前記表紙データ入力部から入力された表紙データに基づいてくるみカバーに画像形成を行う表紙表示画像形成部と、
上記画像形成が行われた記録用紙に背糊付けをする背糊付け手段と、
前記背糊付け手段で背糊付けされた記録用紙に、くるみカバーをくるんで接着するくるみ手段と、
を備えることを特徴とする。
【０００８】
請求項２記載の製本システムは、請求項１記載の発明において、記録用紙を収納する記録用紙収納手段と、
前記記録用紙を書籍内容画像形成部に給紙する記録用紙給紙手段と、
くるみカバーを収納するくるみカバー収納手段と、
前記くるみカバーを表紙表示画像形成部に給紙するくるみカバー給紙手段と、
画像形成された前記記録用紙を搬送する記録用紙搬送手段と、
画像形成されて記録用紙搬送手段により搬送された記録用紙を集積する集積手段と、
集積手段で集積された記録用紙を整合する整合手段と、
画像形成された前記くるみカバーをくるみ手段へ搬送するくるみカバー搬送手段と、
を備えることを特徴とする。
【０００９】
従来のブックオンデマンドシステムでは、本文の画像形成、表紙の印刷、くるみ製本といった一つ一つの工程が、オフラインのシステムであった。そのため、ブックオンデマンドシステムを店頭に設置して、店頭で書籍を印刷・製本することは困難、という大きな課題があった。請求項１、２に記載された本願発明によれば、本文、表紙とも画像形成手段で画像形成し、インラインでくるみ製本まで仕上げることが可能になる。
【００１０】
本願発明では、書籍の内容に関する書籍内容データと、表紙表示に関する表紙データが用いられる。
書籍内容データには、少なくとも本文データが含まれている。さらに、書籍内容データには、書誌事項データを含むことができる。書誌事項データは、書籍名、出版社、著者、著者紹介、発行所、発行日、印刷所、製本所、価格、紹介文などの情報からなり、これらの１または２以上の情報をデータとして保持するものである。なお、書籍内容データには、内容識別情報をデータとして含むことができる。内容識別情報データは、出版界で共通して用いられる書籍コードや本願の製本システム独自の識別番号等からなるもので構成でき、また上記書誌事項データを識別情報データとして利用することもできる。
【００１１】
本発明では、前記したように書籍内容データが入力される書籍内容データ入力部と、表紙データが入力される表紙データ入力部とを備えている。これらデータ入力部は、代表的には、後述するように、ネットワーク通信手段を備え、前記書籍内容データと表紙データの一部または全部が、ネットワークに接続されたサーバに蓄積され前記ネットワークを介して該データが入力されるように構成することができる。
【００１２】
ただし、本発明は、上記の必要なデータが入力されるものであればよく、例えば、持ち運び可能な記憶媒体によってこれらデータが入力されるものであってもよい。書籍内容データ入力部と表紙データ入力部とはそれぞれ個別に備えるものであってもよく、これらが共通する入力部を備えるものであってもよい。また、上記書籍内容データおよび表紙データは、同一の入力経路によって全データが入力される他、複数の入力経路によってそれぞれ一部のデータが入力されて、それらデータの加算によって全体のデータが構築されるものであってもよい。
【００１３】
さらに、本発明では、書籍内容データに基づいて記録用紙に画像形成する書籍内容画像形成部と、表紙表示データに基づいてくるみカバーに画像形成する表紙表示画像形成部とを備えている。該画像形成部は、構成の如何に拘わらず、データを用いて用紙に画像を形成することができるものであればよい。一般に、画像形成部は、画像データ（絵柄、文字等のデータ）に対し必要に応じて適宜の信号処理を行い、このデータに基づいて電子写真プロセスにより画像を形成するものであり、画像データに基づいて潜像させる感光体ドラムを備えている。
書籍内容画像形成部と表紙表示画像形成部とは、後述するように、共通する画像形成部で構成することができ、また、それぞれ個別に用意されるものであってもよい。
【００１４】
画像形成が行われる記録用紙とくるみカバーは、請求項２に記載するように、それぞれ記録用紙収納手段とくるみカバー収納手段とに収納しておくことができる。これら収納手段は、記録用紙やくるみカバーを積層して収納する構成とすることができる。収納は、カセット内に記録用紙やくるみカバーを納めるようにして行ってもよく、また、手差し台に載せ置くようにしてもよい。
【００１５】
記録用紙およびくるみカバーは、上記収納手段より画像形成に備えて画像形成部へと給紙される。該給紙は、記録用紙給紙手段と、くるみカバー給紙手段の動作に基づいて行うことができる。
給紙手段は、収納手段に収納された用紙を取りだして搬送するものであり、例えば複数の給紙ローラを収納手段から給紙経路に沿って配置し、該ローラで記録用紙またはくるみカバーを移送するように構成することができる。
また、画像形成された記録用紙およびくるみカバーは、搬送手段によりくるみ手段等へと搬送される。該搬送手段も給紙手段と同様に、複数の搬送ローラを画像形成部から搬送経路に沿って配置し、該ローラで記録用紙またはくるみカバーを移送するように構成することができる。
【００１６】
さらに、本願発明では、画像形成された記録用紙に背糊付けする背糊付け手段を備えている。背糊付け手段としては、記録用紙の背に糊を付着できるものであればよく、本発明としては特定の構造に限定されるものではない。例えば、糊吐出ノズルを用いて糊収容部から記録用紙の背に糊を吐出する吐出部を備えたものや、糊収容部に塗布部材を設置し、該塗布部材を回転させるなどして糊を付着させ、塗布部材を記録用紙に接触させて糊を塗布するもの等を用いることができる。
【００１７】
なお、上記背糊付けに際しては、記録用紙が集積され、整合されていることが必要である。これらは、記録用紙搬送手段により搬送された記録用紙を集積する集積手段と、集積手段で集積された記録用紙を整合する整合手段とにより行うことができる。
集積手段は、複数枚の記録用紙を積み重ねて集積させるものであり、例えば搬送手段により搬送される記録用紙が突き当たるストッパと、該ストッパに当たって停止する記録用紙を受け入れるスタッカとにより構成することができる。
整合手段は、集積された記録用紙の外周縁が揃うように整合させるものである。例えば、記録用紙の外辺に当接する整合部材を、適宜の駆動手段でスライド移動させ、各記録用紙の位置ずれを調整して揃えたり、集積された記録用紙を移動させ位置決め部材に当てて整合させる。
また、背糊付けの前または後、もしくはくるみ処理後において、積層された記録用紙のサイズ調整や折り返した記録用紙の切断等、くるみカバーのサイズ調整等のために記録用紙やくるみカバーを断裁することができる。該断裁手段は、適宜のカッタ、該カッタを位置決めする位置決め装置、カッタを動作させる駆動装置等により構成することができる。
【００１８】
本発明では、背糊付けした記録用紙に、くるみカバーをくるんで接着する、くるみ手段を備えている。該くるみ手段は、上記処理が行われるものであればよく、本発明としては、その構成は特定のものに限定されない。例えば、くるみカバーの背表紙に相当する部分の内面を、押さえ板等により記録用紙の背糊付け部分に押し当ててて背付け糊で接着し、さらに、折り返し部材等の稼働によりくるみカバーの表表紙部分、裏表紙部分を記録用紙面側に折り返し、加圧板等によりくるみカバーの外面側から加圧して整形することによりくるみ動作を実行することができる。
【００１９】
次に、請求項３記載の製本システムの発明は、請求項１または２に記載の発明において、前記書籍内容入力部と表紙表示入力部とは、ネットワーク通信手段を備えており、前記書籍内容データと表紙データの一部または全部は、ネットワークに接続されたサーバに蓄積され前記ネットワークを介して前記書籍内容入力部および表紙表示入力部に送信されるものであることを特徴とする。
【００２０】
上記請求項３記載の構成により多種の書籍を対象にして地理的な問題を抱えることなく、また迅速に製本作業を行うことができる。書籍の内容は、サーバにて容易に管理することができ、端末としての製本システムにおいて、データの送信要求を行うことで、容易に所望の書籍を得ることができる。サーバは、一つのコンピュータで構成してもよく、管理サーバ、データサーバ等の複数のサーバによって構成しても良い。
【００２１】
請求項４記載の製本システムの発明は、請求項１〜３のいずれかに記載の発明において、前記書籍内容画像形成部と、表紙表示画像形成部とは、共通する画像形成部からなることを特徴とする。
【００２２】
請求項４記載の発明によれば、書籍内容の画像形成と表紙表示の画像形成に、共通する画像形成を使用するので、装置構成を簡略にでき、コスト、設置スペースの点で有利となる。例えば書籍内容、表紙とも１台のカラープリンタで画像形成してしまうシステムを提供することが可能になる。
【００２３】
請求項５記載の製本システムの発明は、請求項１〜３のいずれかに記載の発明において、前記書籍内容画像形成部と、表紙表示画像形成部とは、一方がカラープリンタからなり、他方がモノクロプリンタからなることを特徴とする。
【００２４】
書籍本文はモノクロプリントであっても、表紙はカラープリントしなければならないという場合がある。その場合に、請求項５記載の発明によれば、例えば高速で処理可能なモノクロプリンタで頁数の多い書籍本文を画像形成し、比較的低速ではあるもののカラープリントが可能なカラープリンタで表紙の画像形成を行うことができ、必要に応じてカラープリンタとモノクロプリンタを使い分けることができる。記録用紙は例えば金毬と呼ばれる普通紙であるが、くるみカバーは厚手のコート紙などを用いることがあり、画像形成時の制御条件（転写電流、分離電流等々）が異なってくる。これらをカラープリンタとモノクロプリンタというように異なる画像形成装置を使用することにより、個別に、かつ容易に制御することができる。
【００２５】
請求項６記載の製本システムの発明は、請求項１〜５のいずれかに記載の発明において、前記くるみカバーは、くるみみカバー収納部に収納される以前に表紙表示の一部としての印刷または画像形成が行われており、前記表紙表示画像形成部では該くるみカバーに重ね合わせて他の表紙表示の画像形成を行うものであることを特徴とする。
【００２６】
従来のくるみカバーは、専用デザインか汎用デザインの二者択一であった。ブックオンデマンドの場合、専用デザインでは、書籍内容データとの１対１管理が面倒で、汎用デザインでは何の本か分からないという課題がある。また、従来のくるみカバーの汎用デザインでは、普通の書籍並の情報が印刷されていないため、例えばバーコードがないため、レジで課金できないという課題がある。
また、従来のくるみカバーの専用デザインでは、ロット単位の印刷のため、一枚一枚に固有情報を盛り込むことができないという課題がある。
さらに、従来は本をプレゼントする際に、メッセージカードを添えたりしたが、時が経つにつれてカードを紛失してメッセージが分からなくなってしまうという課題がある。
【００２７】
請求項６記載の発明によれば、本文はプリンタで画像形成し、くるみカバーは事前に汎用デザインでオフセット印刷したもの等に必要な表示を重ね合わせて画像形成し、インラインでくるみ製本まで仕上げることができる。したがって、汎用デザインのくるみカバーに書籍固有の表示を行うことが可能になり、上記課題を解決することができる。
【００２８】
請求項７記載の製本システムの発明は、請求項６記載の発明において、前記くるみカバーへの事前の表紙表示は、カラー印刷またはカラープリントからなり、前記重ね合わせ画像形成がモノクロプリントであることを特徴とする。
【００２９】
請求項７記載の発明によれば、汎用デザインでカラー印刷したくるみカバーをベースに、固有情報をモノクロプリンタで墨入れするシステムを提供することができる。
【００３０】
請求項８記載の製本システムの発明は、請求項１〜７のいずれかに記載の発明において、前記表紙表示は、書籍名、著者名、発行所、価格、書店名、バーコード情報の、少なくとも１つを含むことを特徴とする。
【００３１】
請求項８記載の発明によれば、書籍名、著者名、発行所、価格、書店名、バーコード情報の中から必要な情報をくるみカバーに重ね合わせてプリントすることができる。普通の書籍と同様にレジで課金できるように、価格情報を有するバーコードは必須とするのが望ましい。
【００３２】
請求項９記載の製本システムの発明は、請求項１〜８のいずれかに記載の発明において、前記表紙表示は、書籍購入者の固有情報を含むことを特徴とする。
【００３３】
請求項９記載の発明によれば、汎用デザインと重ね合わせプリントを更に進化させ、必要情報だけでなく固有情報もくるみカバーにプリント可能とし、例えば自分だけの本のように仕上げることができる。
【００３４】
請求項１０記載の製本システムの発明は、請求項９記載の発明において、前記固有情報が、書籍購入者の住所、氏名、購入者によるメッセージ、購入日付の内の、少なくとも１つであることを特徴とする。
【００３５】
請求項１０記載の発明によれば、固有情報としてプレゼント相手の氏名や日付はもとより、伝えたいメッセージも表紙にプリントすることができる。
【００３６】
請求項１１記載の製本システムの発明は、請求項１〜１０のいずれかに記載の発明において、前記くるみカバーは、表表紙エリア、背表紙エリア、裏表紙エリアの３つの領域からなり、該くるみカバーへの画像形成に際しては、センター基準または片側突き当て基準において、背表紙エリアの厚さを考慮して各エリアに形成する画像の位置決めを行う表紙画像形成位置決め手段を備えることを特徴とする。
【００３７】
請求項１１記載の発明によれば、本文の量（記録用紙の厚さ）に応じて背表紙の厚さや表表紙、裏表紙の領域を定めて画像の位置決めを行うことができ、種類の異なる書籍に対してそれぞれサイズを合わせたくるみカバーを用意する必要がなく、汎用のくるみカバーを種々の書籍に使用することができる。
【００３８】
請求項１２記載の製本システムの発明は、請求項１１記載の発明において、記録用紙の１枚当たりの厚みを紙種毎に登録する記録用紙厚み登録手段と、画像形成されて製本される記録用紙の枚数をカウントするカウント手段とを設け、前記登録手段に登録した厚みデータと、前記カウント手段でカウントされた枚数データとから、前記背表紙エリアとして必要な厚さを計算する背表紙エリア厚さ算出手段を備えることを特徴とする。
【００３９】
くるみカバーのオンデマンドカラープリントや、汎用デザイン重ね合わせプリントを提供するためには、背表紙の厚みや用紙サイズの位置決めが課題である。従来の背表紙の厚み決定手段には、用紙の厚みを測定する方法や、用紙の厚みを設定する方法があったが、前者は装置が大規模、後者は紙種を変更する度に設定し直さないといけないという課題がある。
請求項１２記載の発明によれば、登録された記録用紙の厚みと、画像形成した記録用紙の枚数から、背表紙の厚さに相当する記録用紙全体の厚みを計算することができる。
【００４０】
請求項１３記載の製本システムの発明は、
書籍の内容に関する書籍内容データが入力される書籍内容入力部と、
前記書籍内容入力部から入力された書籍内容データに基づいて記録用紙に画像形成を行う書籍内容画像形成部と、
表紙表示としての印刷または画像形成がなされたくるみカバーを収納するくるみカバー収納手段と、
上記画像形成が行われた記録用紙に背糊付けをする背糊付け手段と、
前記背糊付け手段で背糊付けされた記録用紙に、前記くるみカバーをくるんで接着するくるみ手段と、
を備えることを特徴とする。
【００４１】
請求項１４記載の製本システムの発明は、請求項１３記載の発明において、記録用紙を収納する記録用紙収納手段と、
前記記録用紙を書籍内容画像形成部に給紙する記録用紙給紙手段と、
画像形成された記録用紙を搬送する記録用紙搬送手段と、
画像形成されて記録用紙搬送手段により搬送された記録用紙を集積する集積手段と、
集積手段で集積された記録用紙を整合する整合手段と、
前記くるみカバー収納手段に収納された前記くるみカバーをくるみ手段に給紙、搬送するくるみカバー給紙搬送手段と、
を備えることを特徴とする。
【００４２】
従来より所定の印刷又はプリント処理をしたくるみカバーや、所定の厚みのくるみカバーは、画像形成部を通せないという課題がある。請求項１３、１４記載の発明によれば、くるみカバー収納手段から、画像形成部を通さずに直接くるみカバーをくるみ手段側へ搬送することができる。
【００４３】
請求項１５記載の製本システムの発明は、請求項１〜１４のいずれかに記載の発明において、前記くるみカバー収納手段に、くるみカバー有無検知手段が設けられていることを特徴とする。
【００４４】
請求項１６記載の製本システムの発明は、請求項１〜１５のいずれかに記載の発明において、前記くるみカバー収納手段に、くるみカバーサイズ検知手段が設けられていることを特徴とする。
【００４５】
請求項１７記載の製本システムの発明は、請求項１５記載の発明において、前記くるみカバー有無検知手段による有無検知結果に拘わらず、前記書籍内容データの画像形成開始を許可することを特徴とする。
【００４６】
請求項１８記載の製本システムの発明は、請求項１６記載の発明において、前記くるみカバーサイズ検知手段によるサイズ検知結果に拘わらず、前記書籍内容データの画像形成開始を許可することを特徴とする。
【００４７】
従来、くるみカバー収納手段に設けたくるみカバー有無検知手段がくるみカバー無しを検知している場合や、くるみカバーサイズ検知手段が所定外サイズを検知している場合に、書籍内容データの画像形成開始を許可できないという課題がある。請求項１７、１８では、上記検知結果に拘わらず、書籍内容データの画像形成の開始を可能にして処理の迅速化を図ることができる。また、本文（書籍内容データ）と、くるみカバーの画像形成を、別々の画像形成部で開始する場合に備えて、くるみカバーがくるみカバー収納手段に事前にセットされていなくても、書籍内容データの画像形成開始を許可することができる。また、サイズが適正でないくるみカバーをくるみカバー収納手段にセットした場合でも画像形成をとりあえず開始してもかまわないため、書籍内容データの画像形成の開始を許可することができる。
【００４８】
請求項１９記載の製本システムの発明は、請求項１５〜１８のいずれかに記載の発明において、くるみカバー無し検知またはくるみカバー所定外サイズ検知がなされた場合、くるみカバー収納手段からのくるみカバーの給紙を停止することを特徴とする。
【００４９】
請求項１９記載の発明によれば、くるみカバー無し検知またはくるみカバー所定外サイズ検知がなされ、書籍内容データの画像形成を開始した場合、適正なくるみカバーが収納されていない状態ではそのままくるみカバーの給紙を停止しておくことができる。
【００５０】
請求項２０記載の製本システムの発明は、請求項１９記載の発明において、くるみカバー無し検知の状態で前記書籍内容データに基づく画像形成開始後に、前記くるみカバー有無検知手段がくるみカバー有りを検知した場合に、くるみカバー無し検知による前記給紙停止を解除することを特徴とする。
【００５１】
従来、画像形成開始許可後にくるみカバー収納手段に設けたくるみカバー有無検知手段がくるみカバー有りを検知しても、途中からこれを有効にするのは難しいという課題がある。請求項２０記載の発明では、上記画像形成開始後にくるみカバー有りを検知した場合に、くるみカバー無し検知による前記給紙停止を解除してくるみカバーの給紙を可能にする。
なお、前記くるみカバー有無検知手段がくるみカバー有りを検知し、前記くるみカバーサイズ検知手段が所定サイズと検知したら、所定のタイミングで前記くるみカバーを前記くるみカバー収納手段から搬送するように構成することができる。
【００５２】
請求項２１記載の製本システムの発明は、請求項１９記載の発明において、くるみカバー所定外サイズ検知の状態で前記書籍内容データに基づく画像形成開始後に、前記くるみカバーサイズ検知手段が所定サイズのくるみカバーを検知した場合、くるみカバー所定外サイズ検知による給紙停止を解除することを特徴とする。
【００５３】
従来、画像形成開始許可後にくるみカバー収納手段に設けたくるみカバーサイズ検知手段が所定サイズを検知しても、途中からこれを有効にするのは難しいという課題がある。請求項２１記載の発明では、上記画像形成開始後にくるみカバーサイズ検知手段が所定サイズを検知することにより前記給紙停止を解除してくるみカバーの給紙を可能にする。
【００５４】
請求項２２記載の製本システムの発明は、請求項１５〜２１のいずれかに記載の発明において、画像成形が行われた記録用紙への背糊付け動作開始前に、前記くるみカバー有無検知手段がくるみカバー無しを検知した場合、または、前記くるみカバーサイズ検知手段がくるみカバーの所定外サイズを検知した場合、前記背糊付け動作を停止することを特徴とする。
【００５５】
請求項１６〜２１記載の発明では、適正なくるみカバーがセットされていなくても画像形成開始を許可するようにしたため、所定枚数の画像形成が完了して、背糊付け実行前の時点で、まだくるみカバーがセットされていないというケースが起こり得る。ここで、背糊付け実行後にくるみ工程まで間が空くと、糊が一旦固まってしまうという課題がある。請求項２２では、上記画像形成後に適正なくるみカバーがセットされていない場合に、画像形成した記録用紙への背糊付けを停止しておくことができる。
【００５６】
請求項２３記載の製本システムの発明は、請求項２２記載の発明において、くるみカバー無し検知による前記背糊付け動作の停止後、前記くるみカバー有無検知手段がくるみカバー有りを検知した場合、くるみカバー無し検知による前記背糊付け動作の停止を解除することを特徴とする。
【００５７】
背糊付け実行中にくるみカバーが引き抜かれると、くるみ工程を実施せずに、一旦中断せざるを得ないという課題がある。
請求項２３記載の発明によれば、くるみカバーがセットされることにより停止されていた背糊付けを解除して直ちに処理を進行させることができる。
【００５８】
請求項２４記載の製本システムの発明は、請求項２２記載の発明において、くるみカバーの所定外サイズ検知による前記背糊付け動作の停止後、前記くるみカバーサイズ検知手段がくるみカバー収納手段に収納されたくるみカバーが所定サイズであることを検知した場合、くるみカバーの所定外サイズ検知による前記背糊付け動作の停止を解除することを特徴とする製本システム。
【００５９】
請求項２４記載の発明によれば、適正なサイズのくるみカバーがセットされることにより停止されていた背糊付けを解除して直ちに処理を進行させることができる。
【００６０】
請求項２５記載の製本システムの発明は、請求項１５〜２４項のいずれかに記載の発明において、前記背糊付け動作完了後、くるみ手段によるくるみ動作前に、前記くるみカバー有無検知手段がくるみカバー無しを検知した場合、または、前記くるみカバーサイズ検知手段がくるみカバー収納手段に収納されたくるみカバーを所定外サイズであることを検知した場合、前記くるみ動作を停止することを特徴とする。
【００６１】
請求項２６記載の製本システムの発明は、請求項２５記載の発明において、くるみカバー無し検知による前記くるみ動作の停止後、前記くるみカバー有無検知手段がくるみカバー有りを検知した場合、くるみカバー無し検知によるくるみ動作の停止を解除することを特徴とする。
【００６２】
請求項２７記載の製本システムの発明は、請求項２５記載の発明において、くるみカバー所定外サイズ検知によるくるみ動作の停止後、前記くるみカバーサイズ検知手段がくるみカバー収納手段に収納されたくるみカバーが所定サイズであることを検知した場合、くるみカバー所定外サイズ検知によるくるみ動作の停止を解除することを特徴とする。
【００６３】
背糊付け実行中にくるみカバーが引き抜かれる等の状況が生じると、くるみ工程を実施できず、一旦中断せざるを得ない。請求項２６、２７記載の発明では、このような場合、適正なくるみカバーがセットされることにより処理の再開を可能にする。
【００６４】
請求項２８記載の製本システムの発明は、請求項２６または２７項記載の発明において、前記くるみ動作の停止解除時に、背糊付けされた糊を加熱して溶かし、その後、くるみ動作を開始することを特徴とする。
【００６５】
請求項２８記載の発明によれば、背糊付け中にくるみ動作が停止された状況で、障害が排除されてくるみ動作を可能とする際に、背糊付けされた糊を再加熱してくるみカバーと記録用紙の接着を確実なものとする。
【００６６】
請求項２９記載の製本システムの発明は、請求項２５〜２８項のいずれかに記載の発明において、前記くるみカバーの給紙、背糊付けまたはくるみ動作を停止した場合、停止状態を通知する手段を備えることを特徴とする。
【００６７】
また、くるみ製本開始前中断中には、操作者が障害を取り除けるように中断中であることを通知しなければならない。このため、請求項２９記載の発明では、停止状態を通知可能とする。
通知方法は、本発明としては特に限定されるものではなく、操作者が認識できるものであればよい。例えば、製本システムの操作パネル上にメッセージ又はアイコンを表示するか、製本システム内のブザーを鳴らすか、製本システム内のスピーカから音声ガイドを行なうか、製本システム上のパトライトを回転させるか、製本システムから管理者のパソコンへ電子メールで知らせるか、の１つを採択することができる。
通知内容は、ブザー等の注意を喚起するもんでもよく、また、中断中であることを示すものや、さらに障害の排除方法を示すものであってもよい。通知は、健常者へはもとより、非健常者（全盲、全聾等）へも告知可能な手段とすることも可能である。
【００６８】
請求項３０記載の製本システムの発明は、請求項１〜２９項のいずれかに記載の発明において、前記くるみカバー収納手段は、くるみカバーを順次上積み可能であり、くるみカバー給紙手段またはくるみカバー給紙搬送手段は、上積みされた前記くるみカバーを順次底から送り出し可能とされていることを特徴とする。
【００６９】
連続して製本ジョブが入った場合に、別のカラープリンタで次々と並列出力した、異なるくるみカバーを、くるみカバー収納手段に先入れ先出しの順序を守りながら、追加セットしていく場合がある。
請求項３０記載の発明によれば、くるみカバー収納手段を、上積み・底送り方式とし、印刷・製本中の書籍の後から印刷・製本予定の書籍のくるみカバーを、順番に積んでいくだけで、書籍内容データ（本文）とくるみカバーとが順番に対応付けされるようにすることができる。
【００７０】
請求項３１記載の製本システムの発明は、請求項１〜３０項のいずれかに記載の発明において、前記書籍内容データが保持する内容識別情報と対応して前記くるみカバーにカバー識別情報を付与しておくとともに、くるみカバー収納手段に収納されたくるみカバーの識別情報を読み取る識別情報読み取り手段を設け、前記カバー識別情報を前記識別情報読み取り手段で読み取り、前記内容識別情報と比較し、比較結果に応じ両者が対応すると判定される場合に前記くるみカバーを給紙可能とすることを特徴とする。
【００７１】
請求項３２記載の製本システムの発明は、請求項３１項記載の発明において、前記くるみカバーは、予め印刷または画像形成によりカバー識別情報が付与されていることを特徴とする。
【００７２】
請求項３３記載の製本システムの発明は、請求項３１または３２に記載の発明において、前記比較の結果、前記カバー識別情報と前記内容識別情報とが対応しない場合、くるみカバーの給紙を停止することを特徴とする。
【００７３】
くるみカバーを書籍内容とは別の画像形成部で並列出力し、このくるみカバーをくるみカバー収納手段にセットし、画像形成された書籍内容データとともに、糊付けくるみ製本する際に、ジャムリカバリ等が原因で先入れ先出しの順序が狂うと、書籍内容データとくるみカバーとが一致しなくなる可能性がある。
請求項３１、３２、３３記載の発明によれば、くるみカバーに識別情報を印刷或いはプリントにより付与しておき、該識別情報を読み取り手段で読み取り、書籍内容データの識別情報と比較し、比較結果に応じてくるみ工程を実行することができるので、識別情報が異なる書籍内容とくるみカバーとが一致しない形で製本されてしまうのを確実に防止できる。
【００７４】
請求項３４記載の製本システムの発明は、請求項３１〜３３のいずれかに記載の発明において、前記比較の結果、前記カバー識別情報と前記内容識別情報とが対応しない場合、該状態を告知するための通知手段が設けられていることを特徴とする。
【００７５】
また、書籍内容データとくるみカバーの識別情報の比較結果が対応しない場合には、くるみ工程を停止するとともに、不一致であることを通知しなければならないという課題がある。
請求項３４記載の発明によれば、上記不一致状態が通知手段により告知され、必要に応じて操作者によるくるみカバーの入れ替え等を行うことができる。
本発明としては、上記通知手段が特定のものに限定されるものではなく、製本システムの操作パネル上にメッセージ又はアイコンを表示するか、製本システム内のブザーを鳴らすか、製本システム内のスピーカから音声ガイドを行なうか、製本システム上のパトライトを回転させるか、製本システムから管理者のパソコンへ電子メールで知らせるか、の中の１つを実行する通知手段を設けることができる。告知は、健常者へはもとより、非健常者（全盲、全聾等）へも告知可能なものとすることができる。
【００７６】
請求項３５記載の製本システムの発明は、請求項３１〜３４のいずれかに記載の発明において、複数のくるみカバー収容手段を備えるとともに、該収容手段に順位付けをしておき、
（１）上記順位に従ってくるみカバー収容手段に収容されたくるみカバーの識別情報を読み取り、
（２）該カバー識別情報と前記内容識別情報とを比較し、
（３）両者が対応すると判定された場合に該くるみカバーに収容されたくるみカバーを給紙対象とし、対応しないと判定された場合に、次順位に移行して、
上記（１）〜（３）の処理を繰り返すくるみカバー選択手段を備えることを特徴とする。
【００７７】
また、くるみカバーを別の画像形成部で並列出力し、できたくるみカバーをくるみカバー収納手段にセットし、画像形成された書籍内容データとともに、糊付けくるみ製本する際に、くるみカバー収納手段を複数備えるマルチトレイ（くるみカバーをためるトレイが複数個より構成されているもの）等の場合には、書籍内容データと、選択したくるみカバー収納手段のくるみカバーの識別情報が対応しない場合に給紙停止すると、別のくるみカバー収納手段にあるくるみカバーが対応する可能性があるにも拘わらずくるみカバーの給紙がなされないという課題がある。
請求項３５記載の発明によれば、上記のように一つのくるみカバー収納手段に収納されたくるみカバーの識別情報が、書籍内容データの識別情報と対応しない場合にも、順次、他の収納手段におけるくるみカバーの識別情報が調査され、書籍内容データに対応するくるみカバーがいずれかのくるみカバー収納手段に収納されていれば、くるみカバーの給紙を実行することができる。
【００７８】
請求項３６記載の製本システムの発明は、請求項３５記載の発明において、複数の内容識別情報と対応可能な汎用カバー識別情報を設け、該汎用カバー識別情報をくるみカバーに付与しておき、前記くるみカバー選択手段は、前記書籍内容識別情報と一対一に対応するカバー識別情報を有するくるみカバーが存在しない場合、前記汎用カバー識別情報を有するくるみカバーを給紙の対象とすることを特徴とする。
【００７９】
また、くるみカバーを別の画像形成部で並列出力し、できたくるみカバーをくるみカバー収納手段にセットし、画像形成された書籍内容データとともに、糊付けくるみ製本する際に、専用くるみカバーが品切れになると、くるみ工程がストップしてしまうという課題がある。
請求項３６記載の発明によれば、一致した識別情報がない場合でも、汎用識別情報（オールマイティ）を有するくるみカバーがあれば、それを選択可能にし、くるみ工程を実行可能にすることができる。
例えば第一のくるみカバー収納手段に専用くるみカバー、第二のくるみカバー収納手段に汎用くるみカバーをセットしておくことで、専用くるみカバーがなくても、汎用くるみカバーがあれば、くるみ工程を実行できる。
【００８０】
請求項３７記載の製本システムの発明は、請求項１〜３６のいずれかに記載の発明において、前記くるみカバーは、短辺がくるみ対象となる記録用紙の用紙サイズの一辺と同じ長さで、長辺が該記録用紙の用紙サイズの他の一辺の２倍と背表紙の厚さを加えた長さであることを特徴とする。
【００８１】
このように構成すれば、ページ数と紙種を管理することで、背表紙の厚みを一定にし、断裁不要なぴったりサイズのくるみカバーを提供することができる。
【００８２】
請求項３８記載の製本システムの発明は、請求項１〜３６のいずれかに記載の発明において、前記くるみカバーが、短辺がくるみ対象となる記録用紙の用紙サイズの一辺と同じ長さで、長辺が該記録用紙サイズの他の一辺の２倍と背表紙の厚さを加えた長さより長いサイズからなる場合、くるみによって該用紙サイズよりはみ出た部分を内側へ折り返す折り返し手段を有することを特徴とする。
【００８３】
このように構成すれば、はみ出た部分は内側へ折り返す折り返し手段を設けたことで、くるみカバーのサイズが記録用紙に一致しない場合にも、断裁することなくくるみカバーを使用することができる。
【００８４】
折り返し手段は既知のものを利用することができ、例えば、折り目部を形成する装置と、折り返し用のローラとによって構成することができる。
【００８５】
請求項３９記載の製本システムの発明は、請求項１〜３６のいずれかに記載の発明において、前記くるみカバーが、短辺がくるみ対象となる記録用紙の用紙サイズの一辺と同じ長さで、長辺が該用紙サイズの他の一辺の２倍と背表紙の厚みを加えた長さより長いサイズからなる場合、くるみによって該用紙サイズよりはみ出た部分を、該用紙サイズの所定量内側において小口断裁する小口断裁手段を有することを特徴とする。
【００８６】
専用くるみカバーであればぴったりサイズも可能であるが、汎用くるみカバーとなると、背表紙の厚みがまちまちなため、ぴったりなサイズは難しい。
請求項３９の発明によれば、はみ出た部分の小口断裁のみ行なう方法を提供することができ、小口の体裁を向上させることができる。また、本文（書籍内容データ）部分もなめる（一緒に断裁する）ことにより更に体裁を向上させることも可能である。
小口断裁手段は、適宜のカッタ、該カッタを位置決めする位置決め装置、カッタを動作させる駆動装置等により構成することができる。
【００８７】
請求項４０記載の製本システムの発明は、請求項１〜３６のいずれかに記載の発明において、前記くるみカバーは、短辺がくるみ対象となる記録用紙の用紙サイズの一辺より長く、長辺が該用紙サイズの他の一辺の２倍と背表紙の厚さを加えた長さより長いサイズからなる場合、くるみによって該用紙サイズよりはみ出た部分を、該用紙サイズの所定量内側で三方断裁する三方断裁手段を有することを特徴とする。
【００８８】
このように構成すれば、はみ出た部分を三方断裁することで、三方の体裁を向上させることができる。また、この場合にも本文（書籍内容データ）部分もなめる（一緒に断裁する）ことにより更に体裁を向上させることもできる。
三方断裁手段は、適宜のカッタ、該カッタを位置決めする位置決め装置、カッタを動作させる駆動装置等により構成することができる。なお、小口断裁手段と、三方断裁手段とは、共通の構成とし、小口断裁に際し、一部の構成を使用して断裁を行うようにすることができる。
【００８９】
請求項４１記載の製本システムの発明は、請求項１〜４０のいずれかに記載の発明において、書籍内容データに基づいて記録用紙に画像形成する際に、一枚の記録用紙に対し、片面に２頁ずつ、両面に４頁の本文が表示されるとともに、前記記録用紙を中折りした状態で、外面側に４Ｎ＋１頁目と４Ｎ＋４頁目が位置し、内面側に４Ｎ＋２頁目と４Ｎ＋３頁目（Ｎは０を含む整数）が位置するように４面付けをして、前記書籍内容画像形成手段に画像配置を指示する面付け手段と、前記４面付け画像形成された記録用紙を中折りする中折り手段とを備えることを特徴とする。
【００９０】
請求項４２記載の製本システムの発明は、請求項４１記載の発明において、記録用紙は、中折りされた状態で集積、整合、背糊付けされることを特徴とする請求項４１記載の製本システム。
【００９１】
従来より印刷・製本業界では、例えば一枚の用紙に対して両面で４面付けし、オフラインで断裁してから糊付けくるみ製本することにより、単純に両面印刷する場合と比較して、１／２の印刷コストが実現できた。これに対して、製本システムによるプリントコストを、いかにして下げるかという大きな課題がある。
請求項４１、４２記載の発明によれば、一枚の記録用紙に片面に２頁ずつ、両面に４頁の本文を割り付けて、二つ折りした１枚目が１〜４頁、２枚目が５〜８頁というように各頁が配置され、単純に両面プリントする場合と比較して、１／２のプリントコストが実現できる。
【００９２】
【発明の実施の形態】
以下、図面を参照して本発明の実施の形態例を詳細に説明する。
図１は製本システムの構成例を示す図で、ブックオンデマンドシステムを構成している。ブックオンデマンドシステムとは、顧客の要望に応じて本を製本して顧客に手渡すシステムである。図において、１は複数の出版社に設置された各データサーバを示すものであり、図では出版社Ａと出版社Ｂのものが示されている。    ３    ジャストインシステム
３は複数の書店にそれぞれ設置されたジャストインブックシステム（商標）を示すものであり、図では書店Ａと書店Ｂのものが示されている。５は製本システムの管理を行なう管理会社に設置された管理サーバを示すものである。これら出版社Ａ、Ｂ（データサーバ１）と、書店Ａ、Ｂ（製本システム）と、管理会社（管理サーバ５）とがネットワーク６を介して相互接続されている。ネットワーク６としては、例えばインターネット、公衆回線等が用いられる。
【００９３】
各データサーバ１においては、データサーバ用コンピュータ１１と該コンピュータ１１と接続されるデータベース１２とを備えている。なお、データサーバの設置場所は、出版社はＡ、Ｂの２社に限るものではなく、多数の出版社に設置されているものであってもよい。また、上記説明では、各社のコンピュータ１１およびデータベースは同一の符号を付して説明しているが、各社においてデータベース１２に記憶されたデータの内容は通常、それぞれ異なるものである。
次に、ジャストインブックシステム３において、１３は端末であり、図では書店毎に２台設けられている例を示している。１４は本発明に係る製本システムである。図では、書店ＡとＢとを示しているが、書店数はこれに限るものではなく、多数の書店が含まれている。また、書店毎において製本システムの構成が異なるものであってもよい。例えば、書店Ａでは、画像形成部がカラープリンタからなり、書籍内容の画像形成と表紙表示の画像形成とを同じカラープリンタで実行する。また、例えば、書店Ｂにおいては、画像形成部としてカラープリンタとモノクロプリンタとを備え、書籍内容の画像形成と表紙表示の画像形成とを異なる画像形成部で行うことができる。
次に、管理サーバ５において、１５は製本システムの全体の動作を制御する管理サーバ用コンピュータ、１６は該管理サーバ用コンピュータ１６と接続されるデータベースである。
【００９４】
図２はデータサーバ１の構成を示すブロック図である。図において、２０は装置全体の動作を制御する主制御部であり、例えばＣＰＵとこれを動作させるプログラムとにより構成することができる。２１は書籍の本文（書籍内容データ）情報及びその他の情報を記憶する記憶部であり、ハードディスク装置、ＤＶＤ等の記憶装置が用いられ、前記データベース１２が構築される。２２は外部との通信を行なうための通信部であり、適宜の通信プロトコルによりデータの授受を行うネットワークインターフェースなどにより構成することができる。２３は画像データの圧縮・伸長を行なう圧縮・伸長部であり、例えばＣＰＵとこれを動作させるプログラム、データを一時保存するＲＡＭ等により構成することができる。これら各構成要素間は、パス２４で相互接続されている。
【００９５】
このように構成された装置において、主制御部２０は記憶部２１に設けられるデータベース１２と画像データのやりとりを行なう。例えば、データベース１２に記憶されている画像データがビット・マップ・データ（ＢＭＤ）である場合には、圧縮・伸長部２３でＪＰＥＧ等への圧縮処理を行ない、記憶部２１に記憶させる。画像データを圧縮して記憶することで、記憶部２１の記憶領域を効率よく使用することができる。
逆に、記憶部２１に記憶されている画像データを読み出す場合には、圧縮・伸長部２３は読み出したデータを元のビット・マップ・データに戻し、表示部（ディスプレイ：図示せず）に画像を表示する。画像データをネットワーク６に送り出す場合には、画像データは圧縮したままで、通信部２２を経由してネットワーク６に送出する。送出された画像データは、ネットワーク６を経由して管理サーバ５に入力される。
【００９６】
次に、図３は管理サーバ５の構成例を示すブロック図である。図において、３０は全体の動作を制御する主制御部であり、例えばＣＰＵとこれを動作させるプログラムとにより構成することができる。３１は書籍内容データを印刷用ＰＳ（ポストスクリプト）データや端末１３での閲覧用データに変換を行なうデータ変換部であり、ＣＰＵとこれを動作させるプログラムとにより構成することができる。３２は端末１３で閲覧中の書籍内容データを一時的に記憶する記憶部であり、例えばハードディスク装置が用いられ、前記データベース１６が構築される。３３は外部との通信を行なう通信部であり、適宜の通信プロトコルによりデータの授受を行うネットワークインターフェースなどにより構成することができる。３４は管理サーバにアクセスする端末１３が正当なものであるかどうかを判断する認証部である。該認証部３４では、例えば、正当な端末に関する情報を上記記憶部３２等に記憶しておき、端末１３から送出されるデータに含まれる識別のための情報やＩＰアドレス等を得て、上記記憶情報と照合して端末が正当であるか否かの判定を行うことができる。
３５は印刷対象を特定する印刷対象特定部、３６は製本する時のかかる費用（著作権料、印刷料等）を計算する課金処理部である。該課金処理部３６では、予め書籍毎にかかる費用を設定して記憶しておき、端末との通信によって特定された書籍名等から課金額を決定し、端末に通知する。
印刷対象特定部３５は、印刷要求した端末が予め登録されている書店のものであるかどうかを特定し、書籍閲覧要求と同時に端末から送られた書籍名等から該当するデータサーバを特定する。３７は各構成要素間を接続するパスである。
【００９７】
このように構成されたシステムにおいて、主制御部３０は書店の端末１３から書籍閲覧要求があったことをネットワーク６と通信部３３を介して認識すると、認証部３４を起動する。認証部３４は、当該端末１３が予め登録されている端末であるかどうかをチェックする。登録されているものであった場合、認証部３４はその旨を主制御部３０に通知する。主制御部３０は、書籍閲覧要求と同時に送られてきた書籍名、出版社、著者等を認識し、印刷対象特定部３５を起動して、該当するデータサーバを特定する。次に、該当する出版社のデータサーバ１に通信部３３とネットワーク６を介してアクセスし、当該書籍の書籍内容データを要求する。
書籍内容データを要求された出版社のデータサーバ１では、該当する書籍内容データがデータベース１２に記憶されているか否かを検索する。当該書籍内容データが記憶されている場合には、データサーバ１はデータベース１２に記憶されている当該書籍内容データを管理サーバ５に送信する。
【００９８】
管理サーバ５の主制御部３０は、ネットワーク６と通信部３３を介して受信した当該書籍内容データを一時的に記憶部３２に記憶させる。
主制御部３０は、印刷対象特定部３５を起動して、対象とする製本システム１４が書籍購入要求があった当該端末１３が設置されている書店に設置されている製本システムであることを特定する。そして、当該製本システム１４が特定できたら、記憶部３２に記憶されている当該書籍内容データを読み出し、データ変換部３１を起動して、当該書籍内容データを印刷用ＰＳ（ポストスクリプト）データに変換し、通信部３３とネットワーク６を介して当該製本システム１４に送信する。
【００９９】
次に、図４は端末１３の構成例を示すブロック図である。図において、４０は全体の動作を制御する主制御部、例えばＣＰＵとこれを動作させるプログラムとにより構成することができる。４１は本文（書籍内容データ）情報の他に各種の情報を表示する表示部であり、例えばＣＲＴや液晶表示器が用いられる。４２は閲覧用データ及びその他の情報を記憶する記憶部であり、例えばハードディスク装置が用いられる。４３は外部との通信を行なうための通信部であり、適宜の通信プロトコルによりデータの授受を行うネットワークインターフェースなどにより構成することができる。４４は各種のコマンド等を入力する操作部であり、例えばキーボードやタッチパネル等が用いられる。これら各構成要素は、パス４５で相互接続されている。
【０１００】
このように構成されたシステムにおいて、端末１３は管理サーバ５に対して、閲覧したい本を要求する。この時、閲覧要求と同時に、書籍名、出版社、著者等がサーバ５に対して送信される。管理サーバ５から前記手順により閲覧用データが送られてくると、主制御部４０は、送られてきた閲覧用データを記憶部４２に記憶し表示部４１に表示する。そして、操作部４４から管理サーバ５に書籍購入要求を出し、管理サーバ５が製本システム１４に製本開始指令を出すことにより、製本システム１４は、くるみカバーを装丁して一冊の本を製本する。製本された本は、書店で購入者に渡され、購入者は、所定の本代を支払う。支払われた本代の一部は、出版社及び管理会社に支払われることになる。
【０１０１】
図５は製本システムの一実施の形態例の構成を機能面でまとめたブロック図である。図に示す製本システムは、本発明の画像形成部を含む画像形成装置１００と、本発明のくるみ手段を含む製本装置２００とから構成されている。
この実施形態では画像形成装置１００は、本発明の書籍内容画像形成部と表紙表示画像形成部とを兼ねている。画像形成装置１００において、１０１は外部ネットワークと通信を行なうネットワーク通信手段１０１ａを含むデータ入力部であり、本発明の書籍内容データ入力部と表紙表示データ入力部を構成している。１０２は、データ入力部１０１を通して入力された書籍データ（書籍内容データと表紙表示データとからなる）を記憶する書籍データ記憶手段であり、ハードディスク装置などにより構成される。１０３は、書籍内容を記録用紙に面付け（画像データの割り付け）を行なう面付け手段であり、ＣＰＵおよびこれを動作させるプログラムにより構成することができる。１０４は背表紙の厚さに応じてくるみカバーの割り付け位置（表表紙と裏表紙の画像又は文字の割り付け位置）を計算する表紙の画像形成位置決め手段であり、同じくＣＰＵおよびこれを動作させるプログラムにより構成することができる。１０５は記録用紙およびくるみカバーに画像を形成する画像形成部であり、記録用紙画像形成部および表紙表示画像形成部を構成する。該画像形成部１０５としては、例えば感光体ドラムに静電潜像を形成させ、静電潜像に応じた現像を行ない、現像されたトナー画像を製本用紙に転写する画像書き込み機構が用いられる。カラー画像形成装置の場合には、前記トナーとしては、例えばＹ、Ｍ、Ｃ、Ｋトナーが用いられる。
【０１０２】
画像書き込みユニットは、例えば、レーザーダイオード（ＬＤ）、該ＬＤの出力光を回転しながら反射するポリゴンミラー、該ポリゴンミラーの反射光を受ける光学ユニット、該光学ユニットを通過したレーザ光を感光体ドラム上に書き込むミラーから構成されている。画像書き込みユニットでは、その他に感光体ドラム表面に一様帯電させる帯電器、感光体ドラムに形成された静電潜像を現像する現像器、現像されたトナー像を用紙に転写する転写器、感光体ドラムの表面に残っているトナー等をクリーニングするクリーニング部、用紙に画像を定着させる定着部等を備える。また、画像形成装置では、用紙の両面に画像形成を行うように用紙を逆転して搬送する両面機構も備えている。上記した画像書き込みユニットとしての機構は、画像形成装置において既知のものを利用することができる。
【０１０３】
１１０は製本のための操作を行なう操作手段であり、操作キーやタッチパネルにより構成することができる。
操作手段１１０は、コマンド等を入力する入力手段１１１、各種情報を表示する表示手段１１２、音声ガイドを流すための音声ガイド手段１１３及び用紙厚みを登録する用紙厚み登録手段１１４より構成されている。用紙厚み登録手段１１４では、入力手段１１１を用いて用紙１枚の厚みを紙種毎に入力する。入力の単位としては、例えばｍｍが用いられる。入力された用紙の厚みデータは、内部のメモリに記憶され、後述の背表紙の厚みを計算するために用いられる。
なお、音声ガイド手段１１３は、適宜の音声がスピーカ（図示しない）を通して発せられるものであり、本発明における給紙等の禁止状態を通知する手段および書籍内容とカバーの識別情報の不対応を告知する通知手段としても機能する。また、本発明の画像形成装置は、通常の複写機として使用するコピーモードと、製本モードとが設定可能になっている。これらのモードの切り換えは、上記操作手段１１０において操作者が入力操作することにより行うことができる。
【０１０４】
記録用紙収納手段１２０は、記録用紙を収納しておく用紙トレイを備えており、さらに、該トレイ内の用紙の有無を検知する有無検知手段１２１、トレイ内の用紙のサイズを検知するサイズ検知手段１２２を備えている。記録用紙給紙手段１２３は用紙をトレイから繰り出す装置であり、給紙トレイから用紙を繰り出す繰り出し機構等や該記録用紙を画像形成部１０５に移送するローラ等から構成されている。
また、記録用紙収納手段１２０としては、手差しトレイを備えるものであっても良い。手差しトレイは、紙を曲げる工程が少ないので厚みのある記録用紙を搬送するのに好適である。
【０１０５】
画像形成装置１００に備えるくるみカバー収納手段１３０は、画像形成に供する専用または汎用くるみカバーを収納しておくトレイを備えており、さらに、該トレイ内の用紙の有無を検知する有無検知手段１３１、トレイ内の用紙のサイズを検知するサイズ検知手段１３２を備えている。１３３は、くるみカバーに付与されている識別情報を読み取る識別情報読み取り手段であり、識別情報の付与方法により適宜の装置が用いられる。例えば、ＣＣＤによる光学読み取りにより情報を入手する装置が用いられる。くるみカバー給紙手段１３４はトレイからくるみカバーを繰り出す装置であり、トレイからくるみカバーを繰り出す繰り出し機構や該くるみカバーを画像形成部１０５に移送するローラ等から構成されている。
なお、くるみカバー収納手段１３０においても複数のトレイを有するものであってもいよい。各トレイでは、サイズの異なる複数種類のくるみカバーを収容したり、トレイ毎に専用くるみカバー、汎用カバーを収容することができる。
また、くるみカバー収納手段１３０としては、手差しトレイを備えるものであっても良い。手差しトレイは、紙を曲げる工程が少ないので厚みのあるくるみカバーを搬送するのに好適である。
【０１０６】
また、前搬送手段１４０は、画像形成された記録用紙およびくるみカバーをそれぞれ画像形成装置１００から製本装置２００に搬送する装置であり、それぞれ本発明の記録用紙搬送手段およびくるみカバー搬送手段の一部を構成している。
【０１０７】
１４５は製本装置２００側のシリアル通信手段２４５と接続されるシリアル通信手段である。さらに１５０は、画像形成装置１００の各構成要素を制御する画像形成装置制御手段である。該画像形成装置制御手段１５０としては、例えばＣＰＵおよびこれを動作させるプラグラムにより構成することができる。本発明では、画像形成装置１００側に画像形成装置全体の動作を制御する画像形成装置制御手段１５０を設け、製本装置２００側に製本装置全体の動作を制御する製本装置制御手段２５０を後述するように設け、これら画像形成装置制御手段１５０と製本装置制御手段２５０間をシリアル通信手段１４５、２４５で接続している。これにより、画像形成装置１００と製本装置２００との連携をスムーズに行なうことができる。
【０１０８】
次に、製本装置２００では、前記した画像形成装置１００のシリアル通信手段１４５と接続されてシリアル通信手段２４５を備えている。
後搬送手段２２０は、画像形成装置１００で画像形成され、前搬送手段１４０で搬送された記録用紙およびくるみカバーをさらに、製本装置２００内で引き続きくるみ手段２０４にまで搬送するものであり、前搬送手段１４０と後搬送手段２２０とにより本発明の記録用紙搬送手段とくるみカバー搬送手段が構成されている。
【０１０９】
２０１はプリントされた用紙を集積する集積手段、２０２は印刷がすんだ製本用紙を整える整合手段、２０３は製本用紙の背表紙部分に糊付けを行なう糊付手段、２０４はくるみカバーを製本に装丁するくるみ手段、２０５は製本された本が規定のサイズに収まるように端部を断裁する断裁手段であり、小口断裁手段および三方断裁手段として機能する。２０６は、製本された本を収納する製本収納手段である。２０７は記録用紙を中折り方式で行なう場合、中折りを行なう中折り手段である。
【０１１０】
２４０は製本完了をカウントする製本完了カウント手段、２４１は用紙の集積枚数をカウントする集積枚数カウント手段である。製本完了カウント手段２４０は、製本完了をカウントすると、その情報に書籍を特定する情報を付加してネットワーク６を介して管理サーバ５の課金処理部３６に通知する。該課金処理部３６は、ネットワーク６を介して製本完了カウント手段２４０からの信号を受けて、本の冊数に応じた課金処理を行なう。集積枚数カウント手段２４１は、前記集積手段２０１に集積された記録用紙の枚数をカウントするものであり、カウント結果は、シリアル通信手段２４５、１４５を介して画像形成装置１００の画像形成位置決め手段１０４に通知される。
さらに、２５０は、前述した各構成要素と接続され、製本制御を行なう製本装置制御手段である。該製本装置制御手段２５０としては、例えばＣＰＵおよびこれを動作させるプログラムにより構成することができる。
【０１１１】
上記の製本システムでは、一つの使用法としては、画像形成装置１００をカラープリンタとし、書籍内容データと表紙表示データとを、それぞれ記録用紙と、くるみカバーに印刷し、インラインで製本装置に搬送し、くるみ製本する。
また、他の使用法として、画像形成装置１００をモノクロプリンタとし、書籍内容データを記録用紙に印刷し、表紙表示データは汎用デザインでオフセット印刷したくるみカバーに墨入れ印刷し、両者インラインで製本装置に搬送し、くるみ製本する。
【０１１２】
図６は、図５に示す製本システムの変更例であり、上記くるみカバー収納手段１３０に変えて、製本装置２００にくるみカバー収納手段２３０を設けたものである。
すなわち、製本装置２００は、印刷または画像形成が完了した専用くるみカバーを収納しておく、くるみカバー収納手段２３０を備えている。
くるみカバー収納手段２３０は、くるみカバーを収納しておくトレイを備えており、さらに、該トレイ内の用紙の有無を検知する有無検知手段２３１、トレイ内の用紙のサイズを検知するサイズ検知手段２３２を備えている。２３３は、くるみカバーに付与されている識別情報を読み取る識別情報読み取り手段であり、識別情報の付与方法により適宜の装置が用いられる。例えば、ＣＣＤによる光学読み取りにより情報を入手する装置が用いられる。くるみカバー給紙搬送手段２３４はくるみカバートレイから繰り出して搬送する装置であり、トレイからくるみカバーを繰り出す繰り出し機構や該くるみカバーを後述するくるみ手段２０４に移送するローラ等から構成されている。上記有無検知手段２３１、サイズ検知手段２３２、識別情報読み取り手段２３３は、前記した有無検知手段１３１、サイズ検知手段１３２、識別情報読み取り手段１３３と同様の構成とすることができる。
【０１１３】
上記の製本システムの使用法としては、画像形成装置１００をモノクロプリンタとし、書籍内容データを記録用紙に印刷し、インラインで製本装置に搬送するとともに、表紙表示データは汎用デザインでオフセット印刷したくるみカバーを製本装置において給紙して、くるみ製本する方法が挙げられる。
【０１１４】
図７は、さらに図５に示すシステムの変更例であり、画像形成装置側での上記くるみカバー収納手段１３０に加えて、製本装置２００側にくるみカバー収納手段２３０を備えている。さらに、上記と同様に、有無検知手段２３１、サイズ検知手段２３２、識別情報読み取り手段２３３、くるみカバー給紙搬送手段２３４を備えている。くるみカバー給紙搬送手段２３４は、くるみカバー収納手段２３０に収納されたくるみカバーを製本装置２００内で引き続きくるみ手段２０４にまで搬送するものである。
なお、くるみカバー手段１３０とくるみカバー手段２３０とは、使用するくるみカバーの種別（画像形成の有無）によって択一的に使用される。
この製本システムでは、図５、６に示す製本システムの上記使用法を適宜選択することができる。
【０１１５】
図８は、図５〜７の製本システムの機械的構成例を示す図である。図５〜７と同一のものは、同一の符号を付して示す。図において、１００が画像形成装置、２００が製本装置である。画像形成装置１００において、１６０は原稿を自動的に原稿読み取りユニットに送り出す自動原稿送り装置（ＡＤＦ）である。自動原稿送り装置１６０の上段トレイ１６１に載置された原稿は、回転部１６２で巻き取られて回転される間に原稿読み取りユニット１６３で読み取られ、読み取られた原稿は搬送部により、下段トレイ１６４に排紙される。
両面原稿の場合には、回転部１６２で再度巻き取られ、更に回転される間に裏面の原稿が原稿読み取りユニット１６３で読み取られる。或いは、ガラス面のプラテン上に原稿がセットされ、原稿読み取りユニット１６３で走査されて読み取られる。１６３は自動原稿送り装置１６０から送られた原稿を読み取る原稿読み取りユニットである。これら自動原稿送り装置１６０と原稿読み取りユニット１６３は本発明の構成要素ではないので、これ以上の説明は省略する。
【０１１６】
１７０、１７１、１７２は用紙が載置されている記録用紙収納手段１２０またはくるみカバー収納手段１３０としての給紙トレイである。このように複数の給紙トレイが設けられているのは、サイズの異なる複数種類の用紙を用いる必要があるためである。ここでは、給紙トレイ１７２に載置されている用紙が用いられる場合について説明する。１７４は給紙トレイ１７２に載置されている用紙を繰り出す繰り出し部である。具体的には、繰り出し部１７４としては、ローラが用いられる。給紙トレイ１７２と繰り出し部１７４とで図５の記録用紙収納手段１２０またはくるみカバー収納手段１３０を構成している。１７５は、給紙トレイ１７２から繰り出された用紙をレジストローラ１７６まで搬送する給紙部である。
１８０は感光体ドラム１８１上に画像を書き込む画像書き込みユニットである。該画像書き込みユニット１８０は、レーザーダイオード（ＬＤ）、該ＬＤの出力光を回転しながら反射するポリゴンミラー、該ポリゴンミラーの反射光を受ける光学ユニット、該光学ユニットを通過したレーザ光を感光体ドラム１８１上に書き込むミラーから構成されている。１８１は前述した感光体ドラム、１８２は感光体ドラム表面に一様帯電させる帯電器である。
【０１１７】
１８３は感光体ドラム１８１に形成された静電潜像を現像する現像器、１８３は現像されたトナー像を用紙に転写する転写器、１８４は感光体ドラム１８１の表面に残っているトナー等をクリーニングするクリーニング部である。１８５は画像が転写された用紙を搬送する搬送部、１８６は搬送部１８５を介して搬送されてきた用紙を受けて画像を定着させる定着部である。搬送部１８５を含み、画像形成装置１００の出口側までの搬送部とにより、図５〜７の前搬送手段１４０を構成している。
【０１１８】
１８８は、定着された用紙を両面コピーモード時の時に逆転搬送部１９０に用紙を送り出すための切替器である。該切替器１８８は．片面プリントモード時、又は両面プリントが終了した時には、用紙を製本装置２００側に送り出す。１９０は前記した逆転搬送部である。１８９は、画像形成装置１００側からの用紙を排紙する排紙ローラである。１７３は、手差しトレイである。図は、手差しトレイ１７３が閉じた状態を示している。使用する場合には、この手差しトレイ１７３を下に倒して開き、用紙を手差しする。この手差しトレイ１７３は、紙を曲げる工程が少ないので厚みのあるくるみカバーを搬送するのに好適である。１５０は、画像形成装置全体の動作を制御する画像形成装置制御手段としての制御部である。
【０１１９】
次に、製本装置側の構成について説明する。２６０、２６１は画像形成装置１００側から送られてきた用紙を搬送する搬送部である。これら搬送部２６０、２６１によって、図５〜７の後搬送手段２２０を構成する。
２７０は搬送部２６０〜２６１から送られてきた用紙を集積すると共に、整合し、用紙の背表紙部分に糊付けしてくるみ製本する糊付くるみ製本部である。該糊付くるみ製本部２７０は、図５〜７に示す構成要素の内の、集積手段２０１、整合手段２０２、糊付手段２０３、くるみ手段２０４、中折り手段２０７を兼ねた構成となっている。２０５は糊付くるみ製本部２７０から送られてくる製本の体裁を整えるために、不要部分を断裁する断裁手段としての断裁部である。２０６は、該断裁部２０５で断裁された製本を収納する収納手段としての収納部である。収納部２０６は、製本が収納される度にその位置が図に示すように下部に移動するようになっている。
【０１２０】
２８０はくるみカバーを載置する第１のくるみカバー給紙トレイ、２８１は他の種類のくるみカバーを載置する第２のくるみカバー給紙トレイであり、図６、７に示すくるみカバー収納手段２３０を構成している。図８においては、くるみカバー有無検知手段２３１、サイズ検知手段２３２、識別情報読み取り手段２３３は図示されていない。２８２、２８３はこれらくるみカバー給紙トレイ２８０、２８１出口側に設けられた繰り出し手段としての繰り出しローラである。これら、くるみカバー給紙トレイ２８０、２８１、繰り出しローラ２８２、２８３、搬送部２６１とでくるみカバー給紙搬送手段２３４を構成している。２５０は製本装置２００の全体の動作を制御する製本装置制御手段としての制御部である。
【０１２１】
上記の製本システムでは、一つの画像形成装置と、製本装置とを備えるものについて説明したが、記録用紙への画像形成とくるみカバーへの画像形成を行う画像形成装置をそれぞれ備えるものであってもよい。以下に、記録用紙用の画像形成装置とくるみカバー用の画像形成装置をそれぞれ備える製本システムについて説明する。
【０１２２】
図９は、画像形成装置１００および画像形成装置３００と製本装置２００を備える製本システムを示すブロック図である。なお、前記した製本システムと同様の構成については同一の符号を付して、その説明を省略または簡略化する。
上記製本システムでは、画像形成装置１００は、記録用紙への画像形成を行う書籍内容画像形成部として機能する。また、画像形成装置３００は、くるみカバーへの画像形成を行う表紙表示画像形成部として機能する。画像形成装置１００では、画像形成を行う記録用紙を収納する記録用紙収納手段１２０を有しており、画像形成された記録用紙をインラインで製本装置２００に搬送する記録用紙前搬送手段１４１を備えている。一方、画像形成装置３００では、画像形成を行うくるみカバーを収納するくるみカバー収納手段３３０を有しており、画像形成されたくるみカバーをインラインで製本装置２００に搬送するくるみカバー前搬送手段３４０を備えている。くるみカバー収納手段３３０は、画像形成に供する専用または汎用くるみカバーを収納しておくトレイを備えており、さらに、該トレイ内の用紙の有無を検知する有無検知手段３３１、トレイ内の用紙のサイズを検知するサイズ検知手段３３２、くるみカバーに付与されている識別情報を読み取る識別情報読み取り手段３３３を備えている。識別情報読み取り手段３３３には、識別情報の付与方法により適宜の装置が用いられ、例えば、ＣＣＤによる光学読み取りにより情報を入手する装置が用いられる。くるみカバー給紙手段３３４はトレイからくるみカバーを繰り出す装置であり、トレイからくるみカバーを繰り出す繰り出し機構や該くるみカバーを表紙表示用の画像形成部３０５に移送するローラ等から構成されている。上記画像形成部３０５は、前記した画像形成部１０５と同様の構成とすることができる。
【０１２３】
また、記録用紙前搬送手段１４１およびくるみカバー前搬送手段３４０は、画像形成された記録用紙およびくるみカバーをそれぞれ画像形成装置１００、３００から製本装置２００に搬送する装置であり、それぞれ本発明の記録用紙搬送手段およびくるみカバー搬送手段の一部を構成している。なお、製本装置２００には、記録用紙後搬送手段２２１、くるみカバー後搬送手段２２２を備えており、上記記録用紙前搬送手段１４１またはくるみカバー前搬送手段３４０で搬送される記録用紙またはくるみカバーをくるみ手段２０４に搬送する。
また、画像形成装置３００では、表紙表示データ入力部３０１を有しており、該入力部３０１では、ネットワーク通信手段３０１ａを介してネットワークを通した表紙表示データの入力が可能になっており、入力された表紙データを記憶する表紙データ記憶手段３０２を備えている。また、画像形成装置３００では、画像形成装置１００と同様にシリアル通信手段３４５を備え、製本装置のシリアル通信手段２４５と通信可能となっている。
【０１２４】
また、画像形成装置３００において、３０２は、データ入力部３０１を通して入力された表紙表示データを記憶する表紙表示データ記憶手段であり、ハードディスク装置などにより構成される。３０３は、表紙表示をくるみカバーに面付け（画像データの割り付け）を行なう面付け手段であり、ＣＰＵおよびこれを動作させるプログラムにより構成することができる。３０４は背表紙の厚さに応じてくるみカバーの割り付け位置（表表紙と裏表紙の画像又は文字の割り付け位置）を計算する表紙の画像形成位置決め手段であり、同じくＣＰＵおよびこれを動作させるプログラムにより構成することができる。
上記面付け手段３０３、画像位置決め手段３０４、操作手段３１０、入力手段３１１、表示手段３１２、音声ガイド手段３１３、用紙厚み登録手段３１４は、画像形成装置１００に備える面付け手段１０３、画像位置決め手段１０４、操作手段１１０、入力手段１１１、表示手段１１２、音声ガイド手段１１３、用紙厚み登録手段１１４と同様の構成とすることができる。３５０は、画像形成装置３００の全体の動作を制御する製本装置制御手段としての制御部である。
【０１２５】
上記の製本システムでは、一つの使用法としては、画像形成装置１００にて書籍内容データを記録用紙に印刷し、インラインで製本装置に搬送する。一方、画像形成装置３００では、表紙表示データを全体印刷または墨入れするようにくるみカバーに印刷し、インラインで製本装置２００に搬送して前記記録用紙とともにくるみ製本する。
【０１２６】
次に、図９の製本システムの変更例として、上記製本システムの構成に加えて、製本装置２００に、くるみカバー収納手段２３０を備える製本システムを図１０に基づいて説明する。
図１０は、該製本システムを示すブロック図であり、前記製本システムと同様の構成については同一の符号を付してその説明を省略または簡略化する。
該製本システムでは、画像形成装置３００にくるみカバー収納手段３３０を備えるとともに、製本装置２００においても、くるみカバー収納手段２３０を備えており、該くるみカバー収納手段２３０に伴って、用紙の有無を検知する有無検知手段２３１、用紙のサイズを検知するサイズ検知手段２３２、くるみカバーに付与されている識別情報を読み取る識別情報読み取り手段２３３、くるみカバー給紙搬送手段２３４を備えている。これらは前記した製本システム（図６、図７）と同様の構成とすることができる。
上記くるみカバー収納手段２３０と、くるみカバー収納手段３３０とは選択的に使用される。くるみカバー収納手段２３０に収納されたくるみカバーを用いる場合には、前記した製本システムと同様に、画像形成装置２００において、くるみカバーに全体印刷するか、汎用デザインでオフセット印刷したくるみカバーに墨入れ印刷して、インラインで製本装置２００に搬送し、画像形成装置１００で印刷されてインラインで製本装置２００に搬送された記録用紙とともにくるみ製本する。一方、くるみカバー収納手段３３０に収納されたくるみカバーを使用する場合には、オフセット印刷により印刷が完了したくるみカバーをくるみカバー給紙搬送手段２３４によってくるみ手段２０４に搬送するとともに、画像形成装置１００で印刷されてインラインで製本装置２００に搬送された記録用紙とともにくるみ手段２０４にてくるみ製本を行う。
【０１２７】
図１１は、上記各製本システムにおいて使用されるくるみカバーの種類を示す図である。図において、（ａ）は専用くるみカバー、（ｂ）は汎用くるみカバーである。図の（ａ）において、５０はくるみカバー、５１は書籍名、５２は表表紙エリア、５３は裏表紙エリア、５４は背表紙エリアを示している。５５はくるみカバー５０に付された本の値段等を示すバーコードである。これに対して、（ｂ）に示す汎用くるみカバー６０は、書籍名等の印刷がなされておらず、汎用デザインを用いたものとなっており、複数種類の本の装丁に用いることが可能となっている。
専用のくるみカバー５０における「くるみ製本」という書籍名等は、くるみカバー５０に予め印刷しておいて、表紙の表示が完了したものとしてもよいし、本発明システムの画像形成装置１００、３００を用いて、専用くるみカバー５０にプリントするようにしてもよい。オフセット印刷等によって表紙の表示が完了しているくるみカバーは、通常、製本装置２００に備えるくるみカバー収納手段２３０に収容しておく。一方、汎用くるみカバー６０または墨入れ等によって表示の追加を行う専用くるみカバー５０は、画像形成装置１００におけるくるみカバー収納手段１３０や画像形成装置３００におけるくるみカバー収納手段３３０に収納しておく。
【０１２８】
次に、上記製本システムにおける製本工程を説明する。
このように構成されたシステムでは、端末１３からの要求に従って、前述したように管理サーバ１６から印刷用データに変換した書籍内容データおよび表紙表示データが送られる。図５〜８に示す製本システムでは、画像形成装置制御手段１５０によって、上記データを一時的にデータ記憶手段１０２に記憶し、必要に応じて面付け手段１０３において、記録用紙、くるみカバーに形成する画像の面付けを決定し、その後、画像形成装置１００において記録用紙７０およびくるみカバー５０またはくるみカバー６０への画像形成を行い、製本装置２００において、図１２に示すように、上記記録用紙７０に背糊付けをして背糊付け部７１を設け、前記背糊付け部７１にくるみカバー５０または６０を接着してくるみ製本を行い、所望の書籍８０を得る。なお、くるみカバーへの表紙表示の印刷がオフセット印刷等によって完了している場合には、上記表紙表示データの送受信や面付け、くるみカバーへの画像形成は省略される。
【０１２９】
また、図９、図１０に示す製本システムでは、管理サーバ１６から印刷用データに変換した書籍内容データが画像形成装置１００に送られ、表紙表示データは画像形成装置３００に送られる。画像形成装置１００においては、画像形成装置制御手段１５０によって書籍内容データを一時的にデータ記憶手段１０２に記憶し、必要に応じて面付け手段１０３において、記録用紙に形成する画像の面付けを決定し、その後、画像形成装置１００において記録用紙７０への画像形成を行い、製本装置２００に搬送する。画像形成装置３００では画像形成装置制御手段３５０によって、表紙表示データを一時的にデータ記憶手段３０２に記憶し、必要に応じて面付け手段３０３において、くるみカバーに形成する画像の面付けを決定し、その後、画像形成装置３００においてくるみカバー５０またはくるみカバー６０への画像形成を行い、製本装置２００に搬送する。製本装置２００では、画像形成装置１００から搬送される記録用紙と、画像形成装置３００から搬送されるくるみカバーとを受けて、記録用紙７０に背糊付けをし背糊付け部７１を設け、該背糊付け部７１にくるみカバー５０または６０を接着してくるみ製本を行い、所望の書籍８０を得る。なお、この製本システムにおいてもくるみカバーへの表紙表示の印刷がオフセット印刷等によって完了している場合には、上記表紙表示データの送受信や面付け、くるみカバーへの画像形成は省略される。
【０１３０】
以下に、上記製本工程を図１５のフローチャートに従ってさらに詳細に説明する。該フローチャートは、本文（書籍内容データ）とくるみカバーに画像形成し、くるみ製本まで仕上げるシステムの動作を示している。動作主体としては、図５〜図１０に示す製本システムが用いられる。判断主体としては、画像形成装置１００側の画像形成装置制御手段１５０または画像形成装置３００側の画像形成装置制御手段３５０と、製本装置２００側の製本装置制御手段が用いられる。
なお、該動作においては、フローチャートには示されていないが、フローチャートに示す処理に先立って必要に応じて面付け処理を行う。なお、記録用紙に面付けを行うことなくそのまま画像の形成を行う場合には、面付け処理を省略してもよい。
【０１３１】
図１３は、記録用紙に面付けを行う際の例を示すものである。面付けとは、画像データを割り付けることをいい、画像形成装置１００の面付け手段１０３や画像形成装置３００の面付け手段３０３により行なわれる。（ａ）は記録用紙７０に対し両面２面付けを行う状態を示し、（ｂ）は両面中折り４面付けの場合を示す。これら（ａ）に示す両面２面付けの場合は、記録用紙７０をそのまま整合するだけでよい。これに対して、（ｂ）に示す両面中折り４面付けの場合には、製本装置２００の中折り手段２０７（図５参照）により記録用紙７０を中折りすることによって４面が形成されるので、用紙にプリントする場合には、後で中折りした状態で、図１４に示すように頁が位置するように面付けを行う。即ち、中折りした状態で、外面側に４Ｎ＋１頁目と４Ｎ＋４頁目が位置し、内面側に４Ｎ＋２頁目と４Ｎ＋３頁目（Ｎは０を含む整数）が位置するように４面付けがされている。このようにすることによって、中折り手段２０７により中折りした場合に、各頁が順序よく並んだ画像が形成できる。このようにすれば、単純に両面プリントする場合と比較して、１／２のプリントコストが実現できる。
【０１３２】
次に、面付け後の動作を図１５に示すフローチャートに従って説明する。該動作では、本文（書籍内容データ）の画像形成が１部完了したら、背糊付け処理を実行し、くるみカバーに画像形成し、くるみ処理を行なう。なお、本発明としては、先にくるみカバーに画像形成を行なって待機させておき、本文（書籍内容データ）の画像形成が１部完了したら、背糊付け処理を実行し、くるみ処理を行なうようにしてもよい。
【０１３３】
先ず、製本システム１４は、本文（書籍内容データ）の画像形成が１部完了したかどうかチェックする（ステップＳ１）。１部完了していない場合には、画像形成を続行する必要がある。即ち、記録用紙収納手段１２０から、記録用紙給紙手段１２３によって記録用紙を繰り出し（ステップＳ２：第１給紙処理）、画像形成手段１０５に対し、用紙をレジストし、給紙する（ステップＳ３：第２給紙処理）。そして、画像形成装置１００では、書籍データ記憶手段１０２に記憶されている書籍内容データに基づいて画像形成手段１０５により画像を形成する処理を行い、画像形成装置３００を用いる場合は、書籍データ記憶手段３０２に記憶されている書籍内容データに基づいて画像形成手段３０５により画像を形成する処理を行う（ステップＳ４）。
【０１３４】
次に、画像形成が終了したら、該記録用紙を前搬送手段１４０または記録用紙前搬送手段１４１により、製本装置２００側へ搬送し、さらに製本装置２００側では、後搬送手段２２０または記録用紙後搬送手段２２１により集積手段２０１へと搬送する（ステップＳ５）、集積手段２０１に集積する（Ｓ６）。整合手段２０２は、集積手段２０１に集積された記録用紙の整合処理を行なう（ステップＳ７）。以上の画像形成処理を１部完了する迄必要な回数だけ繰り返す。
【０１３５】
そして、記録用紙への本文の画像形成が１部完了した場合には、くるみカバーによるくるみ処理へと移行していく。なお、このフローチャートでは示していないが、くるみ処理に先だって必要に応じてくるみカバーの位置合わせ処理が行われる。なお、くるみカバーとして専用のくるみカバーが使用され、該くるみカバーのサイズが表紙として必要とされるサイズに正に合致する等の場合には、上記位置合わせ処理を行う必要はない。
【０１３６】
図１６はくるみカバー５０の位置合わせの説明図である。（ａ）は画像形成位置センター基準で合わせる場合を、（ｂ）と（Ｃ）は画像形成位置突き当て基準で合わせる場合をそれぞれ示している。このような位置合わせは、画像形成装置１００の画像形成位置決め手段１０４または画像形成装置３００の画像形成位置決め手段３０４が行なう。（ａ）に示す位置合わせの場合、背表紙の真ん中をセンター基準として位置合わせをする。したがって、余った部分は表表紙と裏表紙をはみ出した小口５１となる。この小口部分は、内部に折り込んだり、後述するように製本装置２００の断裁手段２０５（図５参照）により断裁したりして調整をし、体裁を整える。
【０１３７】
図１６（ｂ）に示す位置合わせの場合、表表紙の左端を表表紙突き当て基準としている。この結果、余った部分は裏表紙の小口５１となる。この場合には、この小口部分を同じく断裁手段２０５により断裁して調整をする。図１６（Ｃ）に示す位置合わせの場合、裏表紙の右端を裏表紙突き当て基準としている。この結果、余った部分は表表紙の小口５１となる。この場合には、この小口部分を断裁手段２０５により断裁して調整される。
このようにすれば、背表紙の厚みや用紙サイズを基に、センター基準の位置決め方法や、突き当て基準の位置決め方法を実現することができる。
【０１３８】
ここで、くるみカバーのサイズを図１６（ａ）に示すようにＰ１、Ｐ２とし、背表紙厚さをＰ３とする。この場合において、くるみカバーは、短辺Ｐ２が所定の用紙サイズの一辺と同じ長さで、長辺が所定の用紙サイズの他の一辺（Ｐ１）の２倍と背表紙の厚みＰ３を加えた長さである。このようにすれば、ぺージ数と紙種を管理することで、図１７（ａ）に示すように、背表紙の厚みを一定にし、断裁不要なぴったりサイズのくるみカバー５０を提供することができる。
【０１３９】
なお、くるみカバーの表表紙エリアと、背表紙エリアと、裏表紙エリアは、表紙表示データとして大きさを定めておくことができる。ただし、背表紙エリアは、記録用紙の総厚みによって厚さが異なってくる。このため、前記用紙厚み登録手段１１４、３１４に登録した厚みデータと、前記集積枚数カウント手段２４１でカウントした枚数データとから、前記背表紙の厚みを計算することができる。この計算は、製本装置制御手段２５０が行なう。
【０１４０】
このようにすれば、給紙トレイ毎に、セットした用紙の厚みを登録可能にして、画像形成した用紙の枚数から、背表紙の厚みを確実に知ることができる。
例えば、用紙の厚みをＴ、用紙枚数をＫとすると、背表紙の厚みはＴ×Ｋとなり、くるみカバーの背表紙の厚みを計算することができ、センター基準、突き当て基準時に背表紙の厚みから各エリアの割り当てを容易に行うことができる。
また、書籍データ記憶手段１０２に記憶された書籍内容データから書籍頁数データを読み取り、用紙厚み登録手段１１４、３１４に登録された厚みデータをもとに背表紙の厚みを計算することができる。このようにすれば、背表紙の厚みを早期に知ることができる。
【０１４１】
次に、くるみ処理に移行するため、図１５のフローチャートに示すように、集積、整合された記録用紙に背糊付け処理を行う（ステップＳ８）。該背糊付け処理では、図１２（ａ）に示すように、集積、整合された記録用紙７０の背の部分に糊を付けて背糊付け部７１を設ける。なお、記録用紙を中折りする場合には、背糊付け処理に先立って製本装置２００における中折り手段２０７を用いて例えば図１３に示すように記録用紙を中折りし、この中折りした用紙の背表紙部分に糊付けする。
【０１４２】
背糊付け処理が終了したら、製本装置制御手段２５０では、シリアル通信手段３４５、２４５、１４５を介して画像形成装置１００または画像形成装置３００に対し、くるみカバーの用意を要求する。画像形成装置制御手段１５０または２５０では、必要に応じてくるみカバーへの画像形成を実行する。
先ず、くるみカバー収納手段１３０または３３０に収容されているくるみカバーをくるみカバー給紙手段１４４または３４４によって繰り出す第１給紙処理（ステップＳ９：）を行う。次に、くるみカバーをレジストし、画像形成部１０５または画像形成部３０５に給紙する第２給紙処理を行なう（ステップＳ１０）。給紙されるくるみカバーには、画像形成手段１０５、３０５により画像形成処理を行われる（Ｓ１１）。くるみカバーへの画像処理では、くるみカバーへの表紙表示の形成または追加を行う。すなわち、前記くるみカバーに所定の印刷又は画像形成がなされている場合には、前記画像形成装置１００、３００で前記所定の印刷又は画像形成面に重ねて画像形成することができる。このようにすれば、くるみカバーは事前に汎用デザインでオフセット印刷等により印刷したものに必要事項を重ね合わせて画像形成し、くるみ製本まで仕上げるシステムを提供することができる。
【０１４３】
なお、画像形成部１０５がカラープリンタである場合、一つの画像形成部によって記録用紙への画像形成と、くるみカバーへの表紙表示の画像形成を行うことができる。
また、画像形成部１０５がモノクロプリンタである場合に、前記所定の印刷又は画像形成はカラー印刷又はカラープリントであり、前記重ね合わせ画像形成がモノクロプリントであるようにすることができる。このようにすれば、汎用デザインでカラー印刷したものをベ一スに、固有情報をモノクロプリンタで墨入れするシステムを提供することができる。
さらに、画像形成部１０５と画像形成部３０５を備える場合、画像形成部１０５で記録用紙への画像形成を行い、画像形成部３０５でくるみカバーへの表表紙の画像形成を行うように役割を分担することができる。
ここで、「印刷」とはオフセット印刷等による画像形成をいい、「プリント」とは電子写真による画像形成をいう。
【０１４４】
なお、前記くるみカバーに形成する画像としては、書籍名、著者名、発行所（出版社）、価格、書店名、バーコード情報の、少なくとも１つを含むようにすることができる。このようにすれば、書籍名、著者名、発行所、（出版社）、価格、書店名、バーコード情報の中から必要な情報を重ね合わせてプリントすることができる。また、必要情報だけでなく固有情報もプリント可能とし、自分だけの本に仕上げることができる。この場合において、前記固有情報は、購入者の住所、氏名、メッセージ、購入日付の内の少なくとも１つであるようにすることができる。このようにすれば、固有情報としてプレゼント相手の氏名や日付はもとより、伝えたいメッセージも表紙にプリントすることができる。
【０１４５】
上記のようにして画像形成処理が終了したくるみカバーは、前搬送手段１４０またはくるみカバー前搬送手段３４０により製本装置２００側へ搬送され、さらに製本装置２００側で後搬送手段２２０またはくるみカバー後搬送手段２２１によりくるみ手段２０４へと搬送される（ステップＳ１２）。次に、くるみ手段２０５では、搬送されてきたくるみカバーを先に背糊付け処理を行った記録用紙７０の背糊付け部分７１に押し当ててくるむ、くるみ処理を行なう（ステップＳ１３）。
【０１４６】
くるみ処理が終了したら、本の体裁をとるものができあがることになる。そこで、断裁手段２０５では、例えば小口部分等の不要な部分の断裁処理を行ない、本としての体裁を整える（ステップＳ１４）。この時、本文（書籍内容データ）部分もなめる（一緒に断裁する）ことにより、更に製本としての体裁を整えることが可能となる。なお、記録用紙への画像の面付けを行って中折を行うものでは、上記断裁に先立って中折手段２０７において必要な中折処理を行っておく。
上記断裁では、図１６（ａ）、図１７（ｂ）に示すように、前記くるみカバーの短辺Ｐ２が所定の用紙サイズの一辺と同じで、長辺が所定の用紙サイズの他の一辺Ｐ１の２倍と背表紙の厚みＰ３を加えた長さより長い場合、記録用紙サイズよりはみ出た部分（小口５１）を、断裁手段２０５により小口断裁を行う。
【０１４７】
また、図１６（ａ）、図１７（ｃ）に示すように、前記くるみカバーの短辺Ｐ２が所定の用紙サイズの一辺より長く、長辺が所定の用紙サイズの他の一辺Ｐ１の２倍と背表紙の厚みＰ３を加えた長さより長くて三方が余っている場合には記録用紙サイズよりはみ出た部分を、断裁手段２０５にて三方断裁する。ここで、三方とは図に示すような小口５１と、天５２と、地５３のことをいう。
このようにすれば、はみ出た部分を三方断裁することで、三方の体裁を向上させることができる。また、この場合、本文（書籍内容データ）もなめる（一緒に断裁すること）ことで更に体裁を向上させることができる。
【０１４８】
また、前記くるみカバーが記録用紙サイズよりはみ出た部分を、図示しない中折り手段によって内側へ折り返すようにして、断裁不要なくるみカバーとすることもできる。
【０１４９】
このようにしてでき上がった製本は、製本収納手段２０６に収納される（ステップＳ１５）。これに伴い、製本完了カウント手段２４０は、カウントを１だけ更新して、管理サーバ５にネットワーク６を介してその旨（カウント情報と書籍を特定する情報）を通知する。
【０１５０】
管理サーバー５では、主制御部３０は、書籍特定情報とカウント情報をもとに、課金処理部３６を起動して課金処理を行なうとともに、記憶部３２に一時的に記憶されていた当該書籍内容データを消去する。
製本された本は、顧客に渡され、顧客は本代を支払う。本代はその場で支払ってもよく、また管理サーバ５で課金情報を累積しておき、例えば月末に、該当する書店との間で書籍代金の精算を行なうなどの処理を行うこともできる。
【０１５１】
上記各実施形態のように、記録用紙への画像形成と、くるみカバーへの画像形成を共通する画像形成部で行うか、それぞれ異なる画像形成部で行うかは任意である。例えば、くるみカバーをカラープリンタで画像形成し、記録用紙をモノクロプリンタで画像形成する。それぞれ画像形成された用紙は、インラインで製本装置に搬送することができる。また、この他に、例えば、カラープリンタで画像形成したくるみカバーを製本装置のくるみカバー収納手段に収納し、モノクロプリンタで画像形成した記録用紙はインラインで製本装置に搬送するというように、一方のみをインラインで製本装置に搬送するものであってもよい。
【０１５２】
なお、上述の実施の形態例では、画像形成装置１００または画像形成装置３００で、くるみカバーに画像形成する場合について説明した。ただし、本発明はこれに限るものではなく、予めくるみカバーには、オフセット印刷等により画像形成しておき、このくるみカバーで用紙をくるむようにすることができる。以下に、具体的に説明する。
【０１５３】
図１８はくるみカバーに画像形成することなくくるみ製本を行う手順を示すフローチャートである。この実施の形態では、本文（書籍内容データ）に画像形成し、くるみカバーは画像形成装置１００を通さずに直接製本装置２００側のくるみカバー収納手段２３０に収納し、製本装置内で搬送されて、くるみ製本まで仕上げる。この実施の形態では、整合処理は、途中整合処理（Ｓ７１）とラスト整合処理（Ｓ７２）とで整合条件を変えて、特にラスト整合処理に時間をかけて、次工程である背糊付け精度を向上させている。
くるみカバーは、上記のようにくるみカバー収納手段２３０に収納しておき、製本装置制御手段２５０からの給紙指令が与えられると、くるみカバー給紙搬送手段２３４によって繰り出され、くるみ手段２０４へと搬送するステップＳ２０を有している。なお、その他のステップで図１５と同様のものについては、同一のステップ番号を付し、その説明を省略する。
【０１５４】
なお、くるみカバー収納手段２３０では、図１９に示すように上積み・底送り方式とするのが望ましい。くるみカバー収納手段２３０に備える給紙トレイ２３０ａでは上側からくるみカバー５０が順次上積みされていく。そして、トレイ２３０ａの底の方からはくるみカバー５０が送り出される。このようにすれば、先積み・先送りとなり、書籍内容データと専用のくるみカバー５０とが順番に対応付けられる。なお、上積み・底送り方式は、くるみカバー収納手段１３０に適用することも可能である。
【０１５５】
なお、上記各実施の形態において、所望によりくるみカバーの有無検知、サイズ検知によって制御する手順を含むことができる。図１８の手順では、例えば画像形成処理（ステップＳ４）に含めて実行することができる。以下、詳細に説明する。
【０１５６】
この制御手順では、くるみカバーの有無は、くるみカバー収納手段２３０に設けられたくるみカバー有無検知手段２３１で検知される。くるみカバーのサイズ検知は、くるみカバー収納手段２３０に設けられたくるみカバーサイズ検知手段２３２で検知される。このようにすれば、くるみカバーの有無とくるみカバーサイズを検知することが可能となる。なお、検知の実行は、製本に際し給紙の対象となるくるみカバーの収納手段が対象となる。
【０１５７】
図２０はくるみカバー無し又は所定外サイズ時の画像形成開始可否判断を示すフローチャートである。この実施の形態例では、くるみカバー有無検知手段がくるみカバー無しを検知していても、或いはくるみカバーサイズ検知手段が所定外サイズを検知していても、書籍モードであれば画像形成開始を許可するようにしたものである。判断の主体は、画像形成装置制御手段１５０または画像形成装置制御手段３５０である。
【０１５８】
先ず、画像形成開始信号が入力されたかどうかチェックする（Ｓ３０）。画像形成開始信号は、画像形成装置制御手段１５０または２５０において、発せられる。
開始信号が入力された場合には、くるみカバーが有るか否かをくるみカバー有無検知手段においてチェックする（Ｓ３１）。くるみカバーがない場合には、書籍モードであるかどうかをチェックする（Ｓ３２）。書籍モードである場合には、くるみカバーがなくてもくるみカバー有りの場合と同じシーケンスに戻り、後述するステップＳ３４に移行する。ここで、書籍モードとは、書籍を作成するモードのことで、この場合には、くるみカバーは別のプリンタで例えばカラープリントされている場合があるので、くるみカバーが無くても本文（書籍内容データ）の画像形成は行なう必要があるためである。
【０１５９】
ステップＳ３２で書籍モードでない場合には、くるみカバー無しを警告し（Ｓ３３）、画像形成開始可否判断を終了する。この警告の態様は、製本システムの操作パネル上にメッセージ又はアイコンを表示するか、製本システム内のブザーを鳴らすか、製本システム内のスピーカから音声ガイドを行なうか、製本システム上のパトライトを回転させるか、製本システムから管理者のパソコンへ電子メールで知らせるか、の中の少なくとも１つを用いる通知を行うことで実現できる。
ステップＳ３４では、くるみカバーが有るか又はくるみカバー無しでも書籍モードである場合には、くるみカバーが所定サイズであるか否かをチェックする（Ｓ３４）。くるみカバーが所定サイズでない場合には、書籍モードであるかどうかをチェックする（Ｓ３５）。書籍モードである場合には、画像形成モードに戻りステップＳ３７に移行する。書籍モードでない場合には、くるみカバーサイズの警告を行ない（Ｓ３６）、画像形成開始可否判断を終了する。ステップＳ３６における警告も上記と同様の通知により行うことができる。ステップＳ３７では画像形成開始を許可する。
【０１６０】
本発明によれば、くるみカバー有無検知手段がくるみカバー無しを検知しても、書籍モードである場合には、書籍内容データの画像形成開始を許可することができる。このようにすれば、本文（書籍内容データ）をモノクロで、くるみカバーをカラーでというように、別々のプリンタでプリント開始する場合に備えて、くるみカバーが収納手段に事前にセットされていなくても、書籍内容データの画像形成を許可する制御方法を提供することができる。
【０１６１】
また、本発明によれは、くるみカバーサイズ検知手段が所定外サイズを検知しても、書籍モードである場合には、前記書籍内容データの画像形成開始を許可することができる。このようにすれば、違うくるみカバーをセットした場合でも、画像形成はとりあえず開始してもかまわないため、書籍内容データの画像形成開始を許可することができる。画像形成開始後において、くるみカバー無しまたはくるみカバーの所定外サイズを検知している場合には、くるみカバーの給紙は停止しておく。
【０１６２】
さらに、上記各実施の形態において、所望により、搬送処理、集積処理、整合処理（ステップＳ５〜Ｓ７）後、背糊付け処理（ステップＳ８）に、先立ってくるみカバーの有無検知、サイズ検知、識別情報読み取りによって制御する手順を含むことができる。
この制御手順により、適正なくるみカバーが収納手段に収納されていない場合、背糊付けを開始しないように制御することができる。以下、詳細に説明する。
【０１６３】
図２１は、くるみカバー無し又は所定外サイズ又は識別情報不一致の場合の中断／再開処理を示すフローチャートである。なお、前記実施形態と同様の処理に関しては同一のステップ番号を付し、その説明を省略または簡略化する。
先ず、１部の本文（書籍内容データ）の作成が完了したかどうかがチェックされ（Ｓ１）、本文（書籍内容データ）作成が１部完了した場合には、くるみカバーが有るか否かをくるみカバー有無検知手段によりチェックする（ステップＳ４０）。くるみカバーが無い場合には、くるみカバー無しを警告する（ステップＳ４１）。この警告の態様は、前述したように、製本システムの操作パネル上にメッセージ又はアイコンを表示するか、製本システム内のブザーを鳴らすか、製本システム内のスピーカから音声ガイドを行なうか、製本システム上のパトライトを回転させるか、製本システムから管理者のパソコンへ電子メールで知らせるか、の中の少なくとも１つを用いることで実現することができる。くるみカバー無しを検知している場合には、背糊付け処理への移行は停止されている。
【０１６４】
ステップＳ４０において、くるみカバーがある場合、くるみカバーサイズ検知手段はくるみカバーのサイズを検知する。そして、くるみカバーが所定のサイズであるかどうかをチェックする（Ｓ４２）。もし、くるみカバーのサイズが合わないものであった場合には、くるみカバーサイズの警告を行なう（Ｓ４３）。この警告の態様は、前述したものと同様である。くるみカバーの所定外サイズを検知している場合には、背糊付け処理への移行は停止されている。
【０１６５】
ステップＳ４２において、くるみカバーサイズが所定のサイズであった場合には、識別処理を行なう（Ｓ４４）。ここでいう識別処理とは、くるみカバーに識別情報（例えばＩＤ情報やバーコード情報）を印刷或いはプリントしておき、該識別情報を読み取り手段（例えばＣＣＤ）１３３、２３３または３３３により読み取り、書籍内データの識別情報と比較するものである。つまり、その本のためのくるみカバーであるかを確認するものである。そして、識別情報が一致したかどうかをチェックする（Ｓ４５）。識別情報が一致しない場合には、識別情報不一致の警告を行なう（Ｓ４６）。警告の態様は、前述したものと同様である。識別情報が一致しない場合には、背糊付け処理への移行は停止されている。
【０１６６】
ここまでの処理は、搬送、集積、整合処理を１部分完了したら、背糊付け処理を開始する前に、くるみカバーの有無、所定サイズか否か、書籍との識別情報が一致するか否かを判定するものである。ステップＳ４５において識別情報の一致が確認されると、背糊付け処理（ステップＳ８）に移行する。
【０１６７】
なお、上記においてくるみカバー無し検知、くるみカバー所定外サイズ検知、識別情報不一致の状態にある場合、くるみカバーの入れ替え等によってくるみカバー有り検知、くるみカバー所定サイズ検知、識別情報一致の状態となった場合には、上記処理を続行するようにできる。
【０１６８】
次に、上記各実施の形態例では、背糊付け処理（ステップＳ８）が完了したら、くるみカバー給紙処理（ステップＳ９，１０）に先立ってくるみカバーの有無検知、サイズ検知、識別情報読み取りによって制御する手順を含むことができる。  この制御手順により、適正なくるみカバーが収納手段に収納されていない状態では、背糊付けがなされていてもくるみ処理を開始しないように制御することができる。以下、詳細に説明する。
【０１６９】
図２２に示すように、背糊付け処理（ステップＳ８）に先立って背糊付けが再開されたものであるかどうかをチェックする（Ｓ５０）。背糊付け処理をした時点で、くるみカバーがなくなっている場合がある。たとえば、何らかの理由でくるみカバーが抜き取られた場合などである。この場合には、製本システムの動作は一時中断する。その時には、新たにくるみカバーを搬送してやる必要がある。ステップＳ５０で背糊付けが後で再開されたものである場合には、背糊再加熱処理を行なって糊を溶かす（Ｓ５１）。その後、背糊付けの再開でない場合と同様に、ステップＳ５２に移行する。ステップＳ５０において、背糊付けの再開でない場合には、背糊付け処理が行なわれる（Ｓ８）。
糊付け又は加熱による糊を溶かす処理を行った後、くるみカバーがあるかどうかくるみカバー有無検知手段によりチェックする（Ｓ５２）。くるみカバーが無い場合には、くるみカバー無しを警告する（Ｓ５３）。警告時の通知は、前記他の警告と同様に行うことができる。
【０１７０】
ステップＳ５２でくるみカバーがある場合には、次ステップでくるみカバーサイズ検知手段によりくるみカバーが所定のサイズであるか否かをチェックする（Ｓ５４）。
所定のサイズでない場合には、くるみカバーサイズの警告を行なう（Ｓ５５）。警告時の通知は前記と同様である。所定のサイズである場合には、識別処理を行なう（Ｓ５６）。この識別処理は、識別情報読み取り手段（例えばＣＣＤ）が行なうものであり、前述した識別処理と同様であり、くるみカバーと本文（書籍内容データ）の一致を判断する。そして、識別情報が一致するか否かをチェックする（Ｓ５７）。一致しない場合には、識別情報不一致の警告を行なう（Ｓ５８）。警告時の通知は前記と同様である。一致した場合には、くるみカバーの給紙を行なう（Ｓ９，１０またはステップＳ２０）。ここまでの処理は、背糊付け処理又は背糊再加熱処理が完了したら、くるみ処理を開始する前に、くるみカバーの有無、所定サイズが否か、識別情報が一致するか否かを判定するものである。
【０１７１】
そして、前記の実施の形態例と同様に、くるみ手段２０４によりくるみ処理を行ない（Ｓ１３）、必要に応じて、図２３に示すように断裁手段２０６により断裁を行ない（Ｓ１４）、本文（書籍内容データ）までなめられて（一緒に断裁されて）体裁が整った書籍は、収納手段２０６に収納される（Ｓ１５）。
このようにすれば、くるみカバーに識別情報を印刷或いはプリントし、該識別情報を読み取り装置で読み取り、書籍内容データの識別情報と比較し、比較結果に応じてくるみ工程を実行することができる。
【０１７２】
また、本発明によれば、前記整合した所定枚数の背糊付け動作完了後に、前記くるみカバー有無検知手段がくるみカバー無しを検知した時、又は前記くるみカバーサイズ検知手段が所定外サイズを検知した時、くるみカバーの識別情報が不一致の時には、前記くるみ動作を開始しない。その後、前記くるみカバー有無検知手段がくるみカバー有りを検知し、前記くるみカバーサイズ検知手段が所定サイズと検知し、くるみカバーの識別情報の一致を確認した時には、製本装置制御手段２５０は背糊付け部７１の一旦固まった糊を加熱して溶かしてからくるみ動作を開始することができる。
このようにすれば、背糊付け実行後に、くるみカバーが所定の給紙装置にセットされていなければ、一旦動作を中断し、再開後に固まった糊を加熱して溶かしてからくるみ工程を実行することができる。
【０１７３】
さらに、上記の実施の形態例における識別処理に際し、くるみカバーの識別情報不一致となる場合に、くるみカバーのサーチおよび専用くるみカバーから汎用くるみカバーへの変更処理を行うことができる。以下、説明する。
【０１７４】
図２４は上記した識別処理を示すフローチャートである。判断主体は画像形成装置制御手段１５０または画像形成装置制御手段３５０もしくは製本装置制御手段２５０である。この場合には、先ず識別情報読み取り手段（例えばＣＣＤ）によりくるみカバーの識別情報（例えばＩＤ情報やバーコード情報）を読み取る（Ｓ６０）。次に、書籍内容データの識別情報を書籍内容データから取得する（Ｓ６１）。次に、くるみカバーと書籍内容データとの識別情報が一致するかどうかチェックする（Ｓ６２）。双方の識別情報が一致した場合には、識別情報一致として次の処理へと移行する（Ｓ６３）。
ステップＳ６２で双方の識別情報が一致しなかった場合、くるみカバーが収納されている全収納手段の識別情報を確認したかチェックする（Ｓ６４）。全給紙装置の確認が終わっていなかった場合、次収納手段のくるみカバー識別情報を読み取り（Ｓ６５）、ステップＳ６１に戻り識別情報の一致、不一致の確認処理をくる返す。ステップＳ６４で全収納手段におけるカバー識別情報の確認がとれた場合、識別情報が一致するカバーが存在しないことになる。この場合、既に読みとった各収納手段の識別情報に汎用識別情報が含まれているか否かチェックする（Ｓ６６）。
汎用識別情報があった場合には、識別情報が一致したものとして一致処理を行う（Ｓ６３）。汎用識別情報がなかった場合には、識別情報不一致を確認する（Ｓ６７）。
【０１７５】
このようにすれば、くるみカバー給紙装置がマルチトレイの場合には、各給紙装置を順番にサーチして、識別情報が一致するくるみカバーがセットされた給紙装置を選択することができる。また、一致した識別情報がなかった場合にも、汎用識別情報（オールマイティ）を有するくるみカバーがあれば、それを選択可能にし、くるみ工程を実行可能にすることができる。
【０１７６】
【発明の効果】
以上、説明したように、本発明のうち、請求項１記載の製本システムの発明によれば、書籍の内容に関する書籍内容データが入力される書籍内容データ入力部と、表紙表示に関する表紙データが入力される表紙データ入力部と、前記書籍内容データ入力部から入力された書籍内容データに基づいて記録用紙に画像形成を行う書籍内容画像形成部と、前記表紙データ入力部から入力された表紙データに基づいてくるみカバーに画像形成を行う表紙表示画像形成部と、上記画像形成が行われた記録用紙に背糊付けをする背糊付け手段と、前記背糊付け手段で背糊付けされた記録用紙にくるみカバーをくるんで接着するくるみ手段と、を備えるので、書籍内容データと表紙表示データとを用いて、画像形成から糊付けくるみ製本までをインラインで処理することを可能とし、ブックオンデマンドとして好適な製本システムを構築することができる。
【０１７７】
また、請求項６記載の製本システムの発明によれば、前記くるみカバーは、くるみみカバー収納部に収納される以前に表紙表示の一部としての印刷または画像形成が行われており、前記表紙表示画像形成部では該くるみカバーに重ね合わせて他の表紙表示の画像形成を行うものであるので、汎用デザインで印刷したくるみカバーに、固有情報等を後入れすることができる。
【０１７８】
さらに、請求項１３記載の製本システムの発明によれば、書籍の内容に関する書籍内容データが入力される書籍内容入力部と、前記書籍内容入力部から入力された書籍内容データに基づいて記録用紙に画像形成を行う書籍内容画像形成部と、表紙表示としての印刷または画像形成がなされたくるみカバーを収納するくるみカバー収納手段と、上記画像形成が行われた記録用紙に背糊付けをする背糊付け手段と、前記背糊付け手段で背糊付けされた記録用紙に、前記くるみカバーをくるんで接着するくるみ手段とを備えるので、画像形成部を通すことができない、所定の印刷又はプリント処理をしたくるみカバーや、所定の厚みのくるみカバーを用いて、画像形成から糊付けくるみ製本までをインラインで処理することを可能なブックオンデマンドとしての製本システムを構築することができる。
【０１７９】
さらに、請求項３１記載の製本システムの発明によれば、書籍内容データが保持する内容識別情報と対応して前記くるみカバーにカバー識別情報を付与しておくとともに、くるみカバー収納手段に収納されたくるみカバーの識別情報を読み取る識別情報読み取り手段を設け、前記カバー識別情報を前記識別情報読み取り手段で読み取り、前記内容識別情報と比較し、比較結果に応じ両者が対応すると判定される場合に前記くるみカバーを給紙可能とする給紙可否判定手段を備えるので、書籍内容とくるみカバーとが一致しない状態でくるみ製本されるのを防止して、所定の書籍を確実に製本することを可能にする。
【図面の簡単な説明】
【図１】製本システムの構成例を示す図である。
【図２】データサーバの構成例を示す図である。
【図３】管理サーバの構成例を示す図である。
【図４】端末の構成例を示す図である。
【図５】製本システムの一実施例の構成を示すブロック図である。
【図６】同じく変更例の構成を示すブロック図である。
【図７】同じく変更例の構成を示すブロック図である。
【図８】同じく、製本システムの一実施例の機械的構造を示す図である。
【図９】製本システムの他の実施例の構成を示すブロック図である。
【図１０】同じく変更例の構成を示すブロック図である。
【図１１】くるみカバーの種類を示す図である。
【図１２】本発明によるくるみ製本仕上がりまでの工程を示す図である。を示す図である。
【図１３】本発明による面付けの説明図である。
【図１４】両面中折り４面付けの場合の頁の関係を示す図である。
【図１５】本発明の動作を示すフローチャートである。
【図１６】くるみカバーの位置合わせの説明図である。
【図１７】くるみカバーの位置合わせ後の余り部分の説明図である。
【図１８】本発明の第２の動作を示すフローチャートである。
【図１９】くるみ収納手段における上積み・底送り方式の説明図である。
【図２０】くるみカバー無し又は所定外サイズ時の画像形成開始可否判断を示すフローチャートである。
【図２１】くるみカバー無し又は所定外サイズ又は識別情報不一致時の中断／開始処理を示すフローチャートである。
【図２２】くるみカバー無し又は所定外サイズ又は識別情報不一致時の中断／再開処理を示すフローチャートである。
【図２３】断裁処理を示すフローチャートである。
【図２４】識別処理を示すフローチャートである。
【符号の説明】
１    データサーバ
３    ジャストインブックシステム
５    管理サーバ
６    ネットワーク
１３    端末
１４    製本システム
１００    画像形成装置
１０１    データ入力部
１０１ａ  ネットワーク通信手段
１０２    データ記憶手段
１０３    面付け手段
１０４    画像形成位置決め手段
１０５    画像形成手段
１１０    操作手段
１１３    音声ガイド手段
１１４    用紙厚み登録手段
１２０    記録用紙収納手段
１２１    有無検知手段
１２２    サイズ検知手段
１２３    記録用紙給紙手段
１３０    くるみカバー収納手段
１３１    有無検知手段
１３２    サイズ検知手段
１３３    識別情報読み取り手段
１３４    くるみカバー給紙手段
１４０    前搬送手段
１４１    記録用紙前搬送手段
１４５    シリアル通信手段
１５０    画像形成装置制御手段
２００    製本装置
２０１    集積手段
２０２    整合手段
２０３    糊付手段
２０４    くるみ手段
２０５    断裁手段
２０７    中折り手段
２２０    後搬送手段
２２１    記録用紙後搬送手段
２２２    くるみカバー後搬送手段
２３０    くるみカバー収納手段
２３１    有無検知手段
２３２    サイズ検知手段
２３３    識別情報読み取り手段
２３４    くるみカバー給紙搬送手段
２４０    製本完了カウント手段
２４１    集積枚数カウント手段
２４５    シリアル通信手段
３００    画像形成装置
３０１    データ入力部
３０１ａ  ネットワーク通信手段
３０２    データ記憶手段
３０３    面付け手段
３０４    画像形成位置決め手段
３０５    画像形成手段
３１０    操作手段
３１３    音声ガイド手段
３１４    用紙厚み登録手段
３２０    記録用紙収納手段
３２１    有無検知手段
３２２    サイズ検知手段
３２３    記録用紙給紙手段
３３０    くるみカバー収納手段
３３１    有無検知手段
３３２    サイズ検知手段
３３３    識別情報読み取り手段
３３４    くるみカバー給紙手段
３４０    くるみカバー前搬送手段
３５０    画像形成装置制御手段
３４５    シリアル通信手段
【図１】
2004155152.tif 000003
【図２】
2004155152.tif 000004
【図３】
2004155152.tif 000005
【図４】
2004155152.tif 000006
【図５】
2004155152.tif 000007
【図６】
2004155152.tif 000008
【図７】
2004155152.tif 000009
【図８】
2004155152.tif 000010
【図９】
2004155152.tif 000011
【図１０】
2004155152.tif 000012
【図１１】
2004155152.tif 000013
【図１２】
2004155152.tif 000014
【図１３】
2004155152.tif 000015
【図１４】
2004155152.tif 000016
【図１５】
2004155152.tif 000017
【図１６】
2004155152.tif 000018
【図１７】
2004155152.tif 000019
【図１８】
2004155152.tif 000020
【図１９】
2004155152.tif 000021
【図２０】
2004155152.tif 000022
【図２１】
2004155152.tif 000023
【図２２】
2004155152.tif 000024
【図２３】
2004155152.tif 000025
【図２４】
2004155152.tif 000026